(57)【特許請求の範囲】
【請求項１】
上面側を記録紙排出部とした画像記録手段と、該画像記録手段の記録紙排出部の略上方に位置するとともに少なくとも前記画像記録手段を制御する画像処理部に画像信号を与える原稿読み取り手段とから一体的に構成され、前記原稿読み取り手段における原稿搬送路の少なくとも一部は略Ｕターン形状搬送路から構成され、前記原稿搬送路の原稿入り口部に対する原稿載置部と前記原稿出口部に対する原稿排出部とが前記記録紙排出部とした前記画像記録手段の上面の上方に位置しており、かつ原稿進入方向および原稿排出方向、さらに前記画像記録手段における記録紙排出方向および記録紙収容箱脱装着方向が装置の奥行き方向に略平行であり、
前記原稿載置部、前記原稿排出部、前記記録紙排出部の少なくとも一部が、各々の回動支点を中心に回動可能であり、
前記画像記録手段の記録紙排出部の回動中心が記録紙排出部の回動動作に対応して装置手前側に移動する
ことを特徴とする多機能画像形成装置。
【請求項２】
前記原稿読み取り手段の原稿搬送路は、原稿入り口部が原稿出口部より上方にあり、かつ原稿入り口部近傍に原稿表面を上側にした状態で搬送可能な自動給紙機構を備えた自動給紙時用略Ｕターン形状搬送路、および該自動給紙時用略Ｕターン形状搬送路の途中から分岐して、かつ原稿の進行方向が前記自動給紙時用略Ｕターン形状搬送路の下流側に向かう分岐搬送路とから構成され、さらに原稿表面上の画像情報を読み取り素子に結像させるために略等倍光学系を用いた読み取り部が、前記自動給紙時用略Ｕターン形状搬送路と前記分岐搬送路との合流口より下流側にあることを特徴とする請求項１に記載の多機能画像形成装置。
【請求項３】
前記原稿排出部が前記記録紙排出部の少なくとも一部と重複していることを特徴とする請求項１または２に記載の多機能画像形成装置。
【請求項４】
原稿の排出方向と直角な原稿幅における中心線と記録紙の排出方向と直角な記録紙幅における中心線とが一致していないことを特徴とする請求項１から請求項３のいずれか１つに記載の多機能画像形成装置。
【請求項５】
前記原稿載置部の原稿幅における一方の側面および原稿排出部の原稿幅方向における一方の側面に近接する第１輪郭部と、該第１輪郭部と階段状に連結され、かつ回動可能な記録紙排出部の原稿幅方向における一方の側面に近接する第２輪郭部とから輪郭の一部が形成され、かつ前面操作が可能な操作部を備えたことを特徴とする請求項１から請求項４のいずれか１つに記載の多機能画像形成装置。
【請求項６】
装置両サイドにある外装カバーの少なくとも一方が、読み取り手段の部品を取り外さなくても、取付け取り外しが可能であることを特徴とする請求項１から請求項５のいずれか１つに記載の多機能画像形成装置。
【請求項７】
前記原稿載置部と前記原稿排出部の少なくとも一方は透明材料であることを特徴とする請求項１から請求項６のいずれか１つに記載の多機能画像形成装置。
【請求項８】
前記自動給紙機構は、
積み重ね状態にある１枚以上の原稿の少なくとも一部の範囲を載置し、かつ揺動可能な揺動手段と、
前記揺動手段と対向位置にあり、かつ前記揺動手段上に載置された原稿の最上原稿を呼び出すための呼び出し手段と、
前記揺動手段より原稿搬送方向下流側にあり、かつ原稿を揺動手段にセットするときに原稿の先端位置を規制するための原稿突き当て部と、
前記原稿突き当て部より原稿搬送方向下流側にあり、かつ複数の原稿から１枚のみを分離して下流側に送る分離手段と、
前記揺動手段および前記呼び出し手段を駆動するためのメインモータ等の１つ以上の駆動源と、
前記駆動源からの駆動力を前記揺動手段に伝達し、かつ原稿と呼び出し手段間圧力の発生源となるトルクリミッタを少なくとも一部に含む駆動伝達手段と、
から構成され、前記揺動手段を駆動する駆動源の正逆回転の切り替えにより前記揺動手段を揺動させ、前記トルクリミッタで発生する滑りトルクにより、前記呼び出し手段は、前記揺動手段上に載置された原稿に対して所定の圧力を加え、前記揺動手段上に載置された１枚以上の原稿から１枚のみを分離搬送する機構であることを特徴とする請求項２に記載の多機能画像形成装置。
【請求項９】
原稿排紙手段が記録紙排紙手段を兼ねていることを特徴とする請求項３から請求項８のいずれか１つに記載の多機能画像形成装置。
【請求項１０】
前記記録紙排出部の一部がカートリッジの着脱部の蓋を兼用することを特徴とする請求項１から請求項９のいずれか１項に記載の多機能画像形成装置。
【請求項１１】
前記蓋を開放すると前記原稿載置部と前記原稿排出部が押されて上昇することを特徴とする請求項１０に記載の多機能画像形成装置。
【発明の詳細な説明】
【０００１】
【産業上の利用分野】
本発明は多機能画像形成装置、即ちコピー機能・スキャナ機能・プリンタ機能・ファクシミリ機能等の複数の機能を持つ、ファクシミリ装置、ファクシミリ機能付き複写機、ファクシミリ機能付きプリンタ等の画像形成装置に関する。
【０００２】
【従来の技術】
例えばファクシミリ装置は通常の画像情報送受信機能以外にも一般にコピー機能も有している多機能画像形成装置であり、画像記録手段と、該画像記録手段の記録紙排出部略上方にある原稿読み取り手段とから一体的に構成される。
【０００３】
一方、昨今事務機業界では、オフィスワークの中心となる例えば複写機のデジタル化を進めて、これまでコピーを取るだけであった単機能の複写機に複数の機能を持たせる動きが広がっている。
【０００４】
例えばパソコンと複写機を接続して、パソコン端末で指示を打ち込めばコピーが取れるようにする、また複写機に書類を置くだけで自動的にファクシミリ装置として画像情報の送受信ができるようにするといった動きである。
【０００５】
またユーザからの要求が強いコンパクトで省スペース設計のファクシミリについては二段三段と給紙カセットを重ねたフロントローディング方式の採用などにより、従来の感熱記録ファクシミリのコンパクトなスペースに設置できる普通紙ファクシミリが多くなっている。
【０００６】
さらに普通紙ファクシミリも複写機も現像システムは共通であることから、これらを一体化して一台で二台分の働きをする省スペース複合機が人気を集めている。複合機では複写機と同様な原稿台を設けることにより本のように厚みのある原稿からもコピーしたり、画像情報を直接送信することも可能である。しかも内蔵した大容量メモリーの働きによって、コピー中にファクシミリのメモリー受信をすることができるほか、メモリ送信中にコピーもできる。
【０００７】
このように一台の複合機でありながら、実際にはそれぞれ専用機が二台あるように使用できる。少人数のオフィスでは両方に十分活用できて、しかも設置スペースを減らせるため、ユーザの関心を集めている。さらにプリンタ機能を加えた一台三役の複合機など、共通性の高い機能を加えてますます多様化する傾向も見られる。
【０００８】
この最近注目を集めている複合機および前述のファクシミリ、つまり画像記録手段と原稿読み取り手段とから一体的に構成され、かつコピー機能、スキャナ機能、プリンタ機能、ファクシミリ機能などの複数の機能を持たせた多機能画像形成装置について、現状の代表的な装置構成形態を図３７〜図３９に示した。
【０００９】
ａ）図３７の装置は図面に正対する側が装置正面側（装置前面）である。
【００１０】
画像記録手段Ａは、転写式電子写真プロセス利用のレーザービームプリント機構であり、装置の右側面側を給紙部の給紙カセット脱着部とし、装置の左側面側を記録紙排出部とし、該給紙部側から該排出部側へ装置内を左右方向に設けたシートパス５０１に沿って作像プロセス機器を配設してある。
【００１１】
原稿読み取り手段Ｂは、コンタクトイメージセンサ５０２を含む自動給紙機構を用いた原稿流し読み機構であり、装置上面のほぼ左半面側に配設してあり、装置上面のほぼ右半面側を原稿載置部５０３としてある。
【００１２】
原稿（シート材）Ｏは画像面下向き（フェイスダウン）にして原稿載置部５０３上に積載セットされ、最下位の原稿から１枚ずつ原稿読み取り手段Ｂ内へ右側から左側へ引き込み搬送されてその下向き画像面がコンタクトイメージセンサ５０２により光電読み取りされ、読み取り済みの原稿は原稿読み取り手段Ｂの、原稿搬送方向左側の原稿排出トレイ５０４上にフェイスダウンで排出される。
【００１３】
読み取られた画像情報は、ファクシミリ送信モードの場合は相手方ファクシミリ装置へ送信される。
【００１４】
コピーモードの場合やファクシミリ受信モードの場合は、画像記録手段Ａが作動して、上記の読み取り画像情報または受信した画像情報（時系列電気デジタル画素信号）に対応して変調されたレーザービームＬがレーザースキャナ５０５から出力されて回転感光ドラム５０６に対する走査露光がなされ、感光ドラムの回りに配設した帯電手段・現像手段等の他の作像プロセス機器との共働により回転感光ドラム５０６の面に対して走査露光画像情報に対応したトナー画像が形成される。
【００１５】
一方、給紙カセット５０７内の積載収容記録紙（シート材）Ｐが給紙ローラ５０８と分離手段との共働により１枚宛装置内へ給送されてシートパス５０１内へ導入され、レジストローラ対５０９によって感光ドラム５０６と転写手段５１０との対向部である転写部５１１へ所定のタイミングにて給送されることにより、感光ドラム５０６面側のトナー画像が記録紙Ｐ面側へ転写される。
【００１６】
トナー画像の転写を受けた記録紙Ｐは定着装置５１２へ搬送されてトナー画像の定着処理を受け、排出ローラ対５１３により装置左側面側の排出トレイ５１４上に画像面上向き（フェイスアップ）で排出される。
【００１７】
ｂ）図３８の装置は図面上、右側が装置正面側である。
【００１８】
本例装置の場合は、原稿読み取り手段Ｂは装置上面の装置正面寄りに配設され、この原稿読み取り手段Ｂの装置正面側とは反対側を原稿供給部として原稿載置トレイ５１５を配設し、装置正面側を原稿排出部として原稿排出トレイ５０４を装置正面より前方に張り出させて配設してある。
【００１９】
原稿Ｏはフェイスダウンで原稿載置トレイ５１５上に積載セットされ、最下位の原稿から１枚ずつ原稿読み取り手段Ｂ内へ引き込み搬送されてその下向き画像面がコンタクトイメージセンサ５０２により光電読み取りされ、読み取り済みの原稿は装置正面より前方へ張り出した原稿排出トレイ５０４上にフェイスダウンで排出される。
【００２０】
読み取り画像情報は、ファクシミリ送信モードの場合は相手方ファクシミリ装置へ送信される。
【００２１】
画像記録手段Ａにおいて、給紙カセット５０７は装置内の下部に対して装置正面側から脱着するようになっている。
【００２２】
コピーモードの場合やファクシミリ受信モードの場合は、画像記録手段Ａが作動して、給紙カセット５０７内の記録紙Ｐが給紙ローラ５０８により装置の奥側方向へ１枚宛繰り出され、次いで大径ローラ・押えコロ・ガイド板等からなるＵターンシートパス５１６で装置の正面側方向へ反転搬送されて転写部５１１で感光ドラム５０６面に前述図３７の装置と同様に形成されたトナー画像の転写を受け、また定着装置５１２で転写トナー画像の定着処理を受ける。
【００２３】
定着装置５１２を出るとＵターンシートパス５１７で再び装置の奥側方向へ反転搬送されて排出ローラ対５１３により原稿読み取り手段Ｂの下側に配設した排紙トレイ５１８と装置上面カバー５３０の上面５３１にかけてフェイスダウン排出される。
【００２４】
ｃ）図３９の装置は図面上、右側が装置正面側である。
【００２５】
本例装置の場合は、原稿読み取り手段Ｂは装置内の装置正面側上部に配設してあり、原稿載置トレイ５１５を装置正面より前方へ張り出させて配設してある。
【００２６】
画像記録手段Ａにおいて、給紙カセット５０７は装置正面側で、かつ上記原稿載置トレイ５１５よりも下側に配設したカセット脱着部に対して装置正面側から脱着操作される。
【００２７】
原稿Ｏは原稿載置トレイ５１５上にフェイスアップで積載セットされ、最上位の原稿から１枚ずつ原稿読み取り手段Ｂ内へ引き込み搬送されてその上向き画像面がコンタクトイメージセンサ５０２により光電読み取りされ、読み取り済みの原稿はＵターンシートパス５２０で装置正面方向に反転されて排出ローラ対５２１により給紙カセット５０７の上蓋５０７ａを排出トレイとしてフェイスダウン排出される。
【００２８】
読み取り画像情報は、ファクシミリ送信モードの場合は相手方ファクシミリ装置へ送信される。
【００２９】
コピーモードの場合やファクシミリ受信モードの場合は、画像記録手段Ａが作動して、給紙カセット５０７内の記録紙Ｐが給紙ローラ５０８により装置の奥側方向へ１枚宛繰り出されて転写部５１１で感光ドラム５０６面に前述図３７の装置と同様に形成されたトナー画像の転写を受け、また定着装置５１２で転写トナー画像の定着処理を受け、定着装置５１２を出るとＵターンシートパス５２２で反転搬送されて排出ローラ対５１３により装置上面の排出部５２３にフェースダウン排出される。
【００３０】
上述した図３７〜図３９の各構成形態の装置について、ユーザ使い勝手のよさを示す、▲１▼．記録紙順番性、▲２▼．原稿視認性、▲３▼．原稿順番性、▲４▼．前面（装置正面）操作性、および▲５▼．設置面積に代表されるコンパクト性の計５つの観点から考察比較した結果を表１に示す。
【００３１】
【表１】
0003639614.tif 000002
▲１▼．記録紙順番性
図３７の装置は、排出記録紙が複数枚ある場合に、それ等の記録紙が排紙部である記録紙排出トレイ５１４上にフェイスアップ排出されて順次に積み重ね状態となることで、その排出記録紙をトレイ５１４より取り出した後に順番（頁順）を並び換える必要があり、記録紙順番性は悪い。
【００３２】
これに対して図３８や図３９の装置は、排出記録紙は排紙部５１８・５３１，５２３にフェイスダウン排出されるので、順番性が維持されて爾後の並び変えの必要なく、記録紙順番性は良である。
【００３３】
▲２▼．原稿視認性
図３７や図３８の装置は、原稿載置部５０３や原稿載置トレイ５１５上に原稿Ｏがフェイスダウンで載置されるので原稿裏面が上向きであり、その載置原稿の画像面は視認できず、現在どのような原稿を送ろうとしているかを即座に確認できず、原稿視認性は悪い。
【００３４】
これに対して図３９の装置は、原稿載置トレイ５１５上に原稿Ｏがフェイスアップで載置されるので、操作者にとって現在どのような原稿を送ろうとしているかが即座に確認できる。つまり原稿視認性に優れ、送りミス等がなくなる。
【００３５】
▲３▼．原稿順番性
図３７〜図３９の装置は何れも読み取り済みの原稿は原稿排出トレイ５０４・５０７ａにフェイスダウン排出されて、排出原稿の順番性が維持できる。つまり排出原稿が複数枚ある場合、原稿排出部５０４・５０７ａより取り出した後に順番を並び換える必要がなく、原稿順番性は良である。
【００３６】
▲４▼．前面操作性
図３７の装置は、装置正面側に立って、装置右側面側の給紙カセット５０７の脱着操作、装置上面の原稿載置部５０３に対する原稿セット操作、装置左側面側の原稿排出トレイ５０４からの排出原稿の取り出し操作、及び記録紙排出トレイ５１４からの排出記録紙の取り出し操作ができ、前面操作性は普通である。
【００３７】
図３８の装置は、出力記録紙の取り出しを装置背面側へ回り込んで行なう操作となり、前面操作性は悪い。
【００３８】
図３９の装置は、原稿載置トレイ５１５への原稿載置操作、排出原稿の排出トレイ５０７ａからの取り出し操作、給紙カセット５０７の脱着操作を何れも装置前面から行なえ、また排出記録紙の排出部トレイ５２３からの取り出しも装置正面側から行なうことができるので、前面操作性は良である。
【００３９】
▲５▼．コンパクト性（設置面積）
図３７の装置は装置本体の右側面側に給紙カセット５０７が外方へ張り出し、左側面側に原稿及び記録紙排出トレイ５０４・５１４が外方へ張り出しており、図３８の装置は原稿排出トレイ５０４が装置本体の正面側に張り出しており、図３９の装置は装置本体の正面側に原稿載置トレイ５１５及び給紙カセット５０７が張り出していることで、何れもコンパクト性は悪い。
【００４０】
従って、現在のところ、記録紙順番性、原稿視認性、原稿順番性、前面操作性、コンパクト性のすべてに渡って優れている装置は存在しない。
【００４１】
本発明は、上記従来例の問題を除去することを目的とする。すなわち記録紙順番性、原稿視認性、原稿順番性、前面操作性、コンパクト性のすべてに渡って優れている、つまりユーザ使い勝手が良くかつコンパクトな多機能画像形成装置を提供することを目的とする。
【００４２】
【課題を解決するための手段】
本発明は下記の構成を特徴とする多機能画像形成装置である。
【００４３】
（１）上面側を記録紙排出部とした画像記録手段と、該画像記録手段の記録紙排出部の略上方に位置するとともに少なくとも前記画像記録手段を制御する画像処理部に画像信号を与える原稿読み取り手段とから一体的に構成され、前記原稿読み取り手段における原稿搬送路の少なくとも一部は略Ｕターン形状搬送路から構成され、前記原稿搬送路の原稿入り口部に対する原稿載置部と前記原稿出口部に対する原稿排出部とが前記記録紙排出部とした前記画像記録手段の上面の上方に位置しており、かつ原稿進入方向および原稿排出方向、さらに前記画像記録手段における記録紙排出方向および記録紙収容箱脱装着方向が装置の奥行き方向に略平行であり、
前記原稿載置部、前記原稿排出部、前記記録紙排出部の少なくとも一部が、各々の回動支点を中心に回動可能であり、
前記画像記録手段の記録紙排出部の回動中心が記録紙排出部の回動動作に対応して装置手前側に移動する
ことを特徴とする多機能画像形成装置。
【００４４】
（２）前記原稿読み取り手段の原稿搬送路は、原稿入り口部が原稿出口部より上方にあり、かつ原稿入り口部近傍に原稿表面を上側にした状態で搬送可能な自動給紙機構を備えた自動給紙時用略Ｕターン形状搬送路、および該自動給紙時用略Ｕターン形状搬送路の途中から分岐して、かつ原稿の進行方向が前記自動給紙時用略Ｕターン形状搬送路の下流側に向かう分岐搬送路とから構成され、さらに原稿表面上の画像情報を読み取り素子に結像させるために略等倍光学系を用いた読み取り部が、前記自動給紙時用略Ｕターン形状搬送路と前記分岐搬送路との合流口より下流側にあることを特徴とする（１）に記載の多機能画像形成装置。
【００４７】
（３）前記原稿排出部が前記記録紙排出部の少なくとも一部と重複していることを特徴とする（１）または（２）に記載の多機能画像形成装置。
【００４８】
（４）原稿の排出方向と直角な原稿幅における中心線と記録紙の排出方向と直角な記録紙幅における中心線とが一致していないことを特徴とする（１）から（３）のいずれか１つに記載の多機能画像形成装置。
【００４９】
（５）前記原稿載置部の原稿幅における一方の側面および原稿排出部の原稿幅方向における一方の側面に近接する第１輪郭部と、該第１輪郭部と階段状に連結され、かつ回動可能な記録紙排出部の原稿幅方向における一方の側面に近接する第２輪郭部とから輪郭の一部が形成され、かつ前面操作が可能な操作部を備えたことを特徴とする（１）から（４）のいずれか１つに記載の多機能画像形成装置。
【００５０】
（６）装置両サイドにある外装カバーの少なくとも一方が、読み取り手段の部品を取り外さなくても、取付け取り外しが可能であることを特徴とする請求項１から（５）のいずれか１つに記載の多機能画像形成装置。
【００５１】
（７）前記原稿載置部と前記原稿排出部の少なくとも一方は透明材料であることを特徴とする（１）から（６）のいずれか１つに記載の多機能画像形成装置。
【００５２】
（８）
前記自動給紙機構は、
積み重ね状態にある１枚以上の原稿の少なくとも一部の範囲を載置し、かつ揺動可能な揺動手段と、
前記揺動手段と対向位置にあり、かつ前記揺動手段上に載置された原稿の最上原稿を呼び出すための呼び出し手段と、
前記揺動手段より原稿搬送方向下流側にあり、かつ原稿を揺動手段にセットするときに原稿の先端位置を規制するための原稿突き当て部と、
前記原稿突き当て部より原稿搬送方向下流側にあり、かつ複数の原稿から１枚のみを分離して下流側に送る分離手段と、
前記揺動手段および前記呼び出し手段を駆動するためのメインモータ等の１つ以上の駆動源と、
前記駆動源からの駆動力を前記揺動手段に伝達し、かつ原稿と呼び出し手段間圧力の発生源となるトルクリミッタを少なくとも一部に含む駆動伝達手段と、
から構成され、前記揺動手段を駆動する駆動源の正逆回転の切り替えにより前記揺動手段を揺動させ、前記トルクリミッタで発生する滑りトルクにより、前記呼び出し手段は、前記揺動手段上に載置された原稿に対して所定の圧力を加え、前記揺動手段上に載置された１枚以上の原稿から１枚のみを分離搬送する機構であることを特徴とする（２）に記載の多機能画像形成装置。
【００５３】
（９）原稿排紙手段が記録紙排紙手段を兼ねていることを特徴とする（３）から（８）のいずれか１つに記載の多機能画像形成装置。
（１０）前記記録紙排出部の一部がカートリッジの着脱部の蓋を兼用することを特徴とする（１）から（９）のいずれか１つに記載の画機能画像形成装置。
（１１）前記蓋を開放すると前記原稿載置部と前記原稿排出部が押されて上昇することを特徴とする（１０）に記載の多機能画像形成装置。
【００５４】
【作用】
即ち本発明は上記の構成であるから、次のような作用効果を持っている。
【００５５】
▲１▼．画像記録手段から出力される記録紙は記録紙排出部にフェイスダウンモードで排出されるから、順番性が維持されて爾後の並び換えの必要がなく、記録紙順番性は良である。
【００５６】
▲２▼．原稿は原稿読み取り手段の原稿載置部上にフェイスアップでセットされるので、操作者にとって現在どのような原稿を送ろうとしているかが即座に確認できる。つまり送りミスがなくなるために原稿視認性に優れている。
【００５７】
▲３▼．画像読み取り済みの原稿は原稿排出部上にフェイスダウンモードで順次排出されて順次重なるから、排出原稿の順番性が維持できる。
【００５８】
つまり排出原稿が複数枚ある場合、原稿排出部より取り出した後に順番を並び換える必要がない。
【００５９】
▲４▼．原稿自動給紙モードにおける原稿読み取り手段の原稿載置部に対する原稿のセット操作、特殊原稿の手差し原稿載置部を用いての供給操作、読み取り済みの排出原稿の排出部からの取り出し操作、記録紙収容箱の脱着操作、特殊記録紙の手差し口からの供給操作、出力記録紙の排出部からの取り出し操作、操作部の操作、ジャム原稿の取り出し、コンタクトセンサの清掃、コンタクトセンサ等の部品交換など原稿読み取り手段の異常時の処置操作や保守・点検・修理等のときの操作等をすべて装置前面側より行なうことができるので、前面操作性に優れる。
【００６０】
▲５▼．画像記録手段の記録紙収容箱はフロントローディング方式で装置本体内に格納されて外方に突出しておらず、出力記録紙はＵターン搬送されて装置本体と原稿読み取り手段との間の装置本体上面部を排出部として排出されることで、該出力記録紙排出部も外方に突出しておらず、原稿読み取り手段の原稿自動給紙機構も原稿をＵターン搬送して原稿載置部及び排出部が装置本体の上部に上下に位置して装置本体の外方へ突き出しておらず、また原稿手差し部は不使用時は原稿読み取り手段の背部にたたみ込み収納できるので、装置前後方向の寸法が小さくて全体に設置面積が小さくなりコンパクト化することが可能である。
【００６１】
▲６▼．読み取り部に、コンタクトイメージセンサ等の等倍光学系を用いているために、装置の高さ方向をコンパクト化することが可能である。
【００６２】
▲７▼．トルクリミッタを使用した自動給紙機構を用いることにより、省スペースで大容量給紙が可能となる。
【００６３】
【実施例】
〈実施例１〉（図１〜図１９）
図１は本実施例の多機能画像形成装置（ファクシミリ機能付き複写機もしくはプリンタ）の外観斜視図、図２はプリンタの左側サイドカバーを外して電装系配設部を見せた斜視図、図３はプリンタの縦断左側面図、図４は図３における原稿読み取り手段部分の拡大図である。
【００６４】
このプリンタは図３において右側が装置正面側であり、大きく分けて画像記録手段１００部と、原稿読み取り手段２００部とからなり、原稿読み取り手段２００は画像記録手段１００の記録紙排出部１２５の略上方に位置しており、画像記録手段１００部の不図示のフレームと連結部材を介してか、あるいは同じフレーム上に固定されることにより一体的に構成されている。
【００６５】
（１）画像記録手段１００（主として図３）
画像記録手段１００を主として図３により説明する。本例プリンタの画像記録手段１００は転写式電子写真プロセス利用のレーザービームプリント機構である。
【００６６】
ＰＣはプリンタ本体内に脱着交換自在のプロセスカートリッジ（画像形成ユニット）であり、本例の場合は像担持体としての回転ドラム型の電子写真感光体（以下、感光体ドラムと記す）１０１と、一次帯電手段としての帯電ローラ（帯電用回転体）１０２と、現像器１０４と、クリーニング器１０７の４つのプロセス機器を包含させている。
【００６７】
感光体ドラム１０１は、接地した導電性の芯金の表面にＯＰＣ感光層を被覆してあり、矢示の時計方向に所定の周速度（プロセススピード）をもって回転駆動される。
【００６８】
一次帯電手段としての帯電ローラ１０２は、電圧が印加される芯金の上に少なくとも導電性ゴム層を有するものであり、感光体ドラム１０１に対して所定の押圧力をもって押圧接触させてあり、本例の場合は感光体ドラム１０１の回転に従動して回転する。そして該帯電ローラ１０２の芯金に対して不図示の電源から所定の帯電バイアスが印加されることにより回転感光体ドラム１０１の感光層面が所定の極性・電位に接触帯電方式にて一様均一に一次帯電処理される。
【００６９】
その回転感光体ドラム１０１の帯電処理面に対して、レーザースキャナ１０３から出力される、目的の画像情報の時系列電気デジタル画素信号に対応して変調されたレーザー光Ｌによる走査露光がなされることにより、回転感光体ドラム面に目的の画像情報の静電潜像が形成されていく。
【００７０】
次いでその静電潜像が現像器１０４の現像スリーブによって現像剤（トナー）の選択的付与で可視画像（トナー画像）化される。
【００７１】
その可視画像が感光体ドラム１０１と転写手段としての転写ローラ１０６との圧接ニップ部である転写部Ｎへ後述する給紙部から所定のタイミングにて給送された記録紙（シート材、画像保持部材）に転写される。
【００７２】
転写ローラ１０６は電圧が印加される芯金の上に少なくとも導電ゴム層を有するものであり、感光体ドラム１０１に所定の押圧力をもって圧接して感光体ドラム１０１と順方向に感光体ドラム１０１と略同一の周速度で回転され、不図示の転写バイアス印加電源から転写バイアスが印加されることで、転写部Ｎへ導入された記録紙の背面が可視画像の帯電極性と逆極性に帯電されて記録紙面への可視画像の転写がなされる。
【００７３】
転写部Ｎを通って画像転写を受けた記録紙は回転感光体ドラム１０１面から分離され、除電針１０８によって背面の余剰電荷が除去され、搬送ガイド１１６を通って定着手段１１７へ導入される。
【００７４】
記録紙に対する画像転写後の感光体ドラム１０１上に残った現像剤や紙粉はクリーニング器（クリーナ）１０７のブレードによって除去され、クリーニングされた感光体ドラム１０１が繰り返して作像に供される。
【００７５】
本例の定着手段１１７は熱ローラ定着器であり、１対の回転体である、互いに押圧接触して矢示の方向に回転する加熱ローラ１１８と加圧ゴムローラ１１９の圧接ニップ部である定着部に記録材が定着入り口ガイド１１７ａにガイドされて導入されることにより、加熱加圧により転写画像が記録紙面に固着（定着）される。
【００７６】
加熱ローラ１１８は該ローラ内に配設した加熱素子であるところのヒータ１２０により加熱され、該ローラ１１８の表面温度が該ローラに当接させた温度検知素子１２１によって検出され、その検出温度情報が不図示の温度制御手段に入力し、温度検知素子１２１の検出温度が所定の一定値に維持されるように該温度制御手段がヒータ１２０に対する通電を制御することで、加熱ローラ１１８の表面温度が所定の定着温度に温調される。
【００７７】
定着ニップ部を通って画像定着処理された記録紙は、搬送ローラ対１２２、フラッパ１２７、ガイド板１２７ｂ、排出ローラ対１２３等で構成されるＵターンシートパス（Ｕターン形状搬送路）１２７ａにより反転搬送されて定着手段１１７・レーザースキャナ１０３の上側に配設した排出部１２５及びプリンタ上面カバー１３０の上面１３１に画像面下向きのフェースダウンで排出される。
【００７８】
なお、フラッパ１２７を矢示方向に切り替えることにより定着手段１１７を出た定着済み記録紙をプリンタ後方に画像面を上向きにしたフェイスアップ状態で排出させることもできる。
【００７９】
給紙部はフロントローディング式のカセット給紙装置である。即ち、１１０は給紙カセット（画像保持部材収容箱）であり、該給紙カセット１１０はその正面の下側にある段差部１１０ａを把手部として手指をかけて図１や図３の２点鎖線示のようにプリンタ正面側において脱着操作Ａ・Ｂすることができる。
【００８０】
給紙カセット１１０内にはバネ１２８で押し上げ付勢された上下揺動可能な中板１２４を配設してあり、この中板１２４上に記録材Ｐを積載して収容させてある。
【００８１】
１１１は半円型の１回転給紙ローラ、１１２は大径の搬送ローラ、１１３・１１５はこの大径搬送ローラに圧接した第１及び第２の搬送コロである。第１搬送コロ１１３は給紙カセット１１０側に具備させてあり、給紙カセット１１０がプリンタ本体に対して正規に装着されることで大径搬送ローラ１１２に対して圧接した状態となる。
【００８２】
給紙開始信号により給紙ローラ１１１が矢示の反時計方向に１回転駆動されることで、該給紙ローラ１１１の円弧面が給紙カセット１１０内の積載収容記録紙Ｐの上面に接触して、最上位の記録紙が給紙カセット１１０内をプリンタ本体手前方向へ繰り出され、その繰り出し方向先端部がガイド部１１０ｂで上方へ案内されて大径搬送ローラ１１２と第１搬送コロ１１３との圧接ニップ部にくわえ込まれて大径搬送ローラ１１２の回転力で引き続き搬送されていく。
【００８３】
そしてこの記録紙は大径搬送ローラ１１２と給紙カセット１１０側のガイド部１１０ｃとで形成されるＵターンシートパス１１０ｄにより反転搬送されて大径搬送ローラ１１２と第２搬送コロ１１５との圧接ニップ部にくわえ込まれてプリンタ本体内をプリンタ奥行側へ搬送され、転写前ガイド部１０６ａに案内されて転写部Ｎへ導入される。
【００８４】
この場合、Ｕターンシートパス１１０ｄに入った搬送記録材はその先端がセンサレバー１１４を介して不図示の記録紙検知センサによって検知されることにより、感光体ドラム１０１上に形成された可視画像の先端と記録紙の先端とが転写部Ｎに互いに略一致するように同期搬送される。
【００８５】
１２６はプリンタ本体の正面側に設けた手差し給紙口であり、プリンタ本体に装着状態の給紙カセット１１０の正面側上面部分と、この部分の上のプリンタ本体側部分との間に隙間を形成させることで、上記の手差し給紙口１２６から大径搬送ローラ１１２と第２搬送コロ１１５との圧接ニップ部に通じるシートパス１２６ａを構成させてある。
【００８６】
給紙カセット１１０から給紙できないような厚紙・封筒のような特殊記録紙は上記の手差し給紙口１２６からプリンタ本体内に手差して、その先端が大径搬送ローラ１１２と第２搬送コロ１１５との圧接ニップ部に達するまで十分に差し込む。その差し込みが不図示の手差し記録紙検知センサで検知され、またセンサレバー１１４を介して不図示のセンサによって検知され、所定のタイミングで大径搬送ローラ１１２の回転駆動がなされることにより、該手差し記録紙が転写部Ｎに同期搬送される。
【００８７】
以上の画像記録手段１００の給紙・帯電・露光・現像・転写・クリーニング・定着・排紙といった一連の画像形成工程は、パソコン・ワードプロセッサ・イメージスキャナ等からのプリント信号、後述する原稿読み取り手段２００からのコピー画像信号、送信元のファクシミリからの受信画像信号等が不図示の制御回路の画像処理部に入力して画像形成開始信号にもとづいて実行される。
【００８８】
（２）原稿読み取り手段２００（主として図４）
主として図４で説明する。原稿読み取り手段２００は前述した画像記録手段１００の記録紙排出部１２５の略上方に位置し（図３）、コンタクトイメージセンサ２０８を含む原稿自動給紙機構を用いた原稿流し読み機構である。また原稿手差し給紙もできる機構である。
【００８９】
この原稿読み取り手段２００は、原稿入口部と原稿出口部とを該原稿読み取り手段の正面側に上下に設けてある。２８０は原稿入口部における原稿載置部としての原稿トレイである。２１３・２１４は原稿出口部における原稿排出トレイ受けと原稿排出トレイである。
【００９０】
そして上側の原稿入口部から下側の原稿出口部へ原稿を反転搬送させる自動給紙時用のＵタンシートパスを、原稿先端部上下揺動板２３４、ピックアップローラ２５５、分離ローラ２５６、該ローラに圧接させた分離パッド２３９、第１搬送ローラ２４２、該ローラに圧接させたコロ２６０、Ｕターン形状部Ｕ、第２搬送ローラ２０６、該ローラに圧接させたコロ２４３、排紙ローラ２０７、該ローラに圧接させたコロ２９０等で構成させてある。
【００９１】
２３７は揺動板２３４の位置に対応するシートパス部分に先端部を突出させて配設した自動給紙用原稿検知センサレバー、２３８はこのレバー２３７でＯＮ・ＯＦＦされる自動給紙用原稿検知センサである。
【００９２】
２５２は分離ローラ２５６と第１搬送ローラ２４２との間のシートパス部分に先端部を突出させて配設したレジストセンサレバー、２５３はこのレバー２５２でＯＮ・ＯＦＦされるレジストセンサである。
【００９３】
２０９は第２搬送ローラ２０６とコロ２４３の圧接ニップ部の原稿出口側のシートパス部分に先端部を突出させて配設したエッヂセンサレバー、２１０はこのレバー２０９でＯＮ・ＯＦＦされるエッジセンサである。
【００９４】
原稿読み取り部であるコンタクトイメージセンサ２０８は、原稿表面上の画像情報を読み取り素子に結像させるために略等倍光学系を用いたものであり、第２搬送ローラ２０６と排紙ローラ２０７の間のシートパス部分に読み取り面が上を向く形で取付けられている。
【００９５】
また、原稿手差し給紙用のシートパスとして、上記のＵターンシートパスの途中部から分岐して、かつ原稿の進行方向下流側へ向う分岐搬送路２１５ａを具備させてある。
【００９６】
２１６はこの分岐搬送路に連設した手差し原稿トレイであり、原稿読み取り手段２００の背面側において、図４の実線示のように斜め外方へ張り出させた第１姿勢と、２点鎖線示のように原稿読み取り手段２００の背面にたたみ込んで格納した第２姿勢とに転換自在であり、使用時は実線示の第１姿勢に、不使用時は２点鎖線示の第２姿勢に転換する。
【００９７】
２１１は原稿手差し給紙用のシートパスとしての上記分岐搬送路２１５ａに先端部を突出させて配設した手差し原稿検知センサレバーであり、不図示の手差し原稿検知センサをＯＮ・ＯＦＦする。
【００９８】
図５〜図８は上記の原稿読み取り手段２００の、原稿自動給紙モード時と、原稿手差し給紙モード時の実行動作フローチャートである。
【００９９】
なお、該フローチャートにおいて、センサ１は自動給紙用原稿検知センサ２３８、センサ２はレジストセンサ２５３、センサ３は手差し原稿検知センサ（不図示）、センサ４はエッジセンサ２１０である。
【０１００】
Ａ）原稿自動給紙モード（図５・図６）
まず、自動給紙用の給紙口に原稿をセットして読み取りを行なわせる場合、次のとおりである。
【０１０１】
［ステップ１０１］  原稿を原稿トレイ２８０に載置し、スライダ２８１（図１・図３）により原稿右端を規制しながら突き当てリブ２８０ａに突き当てた状態で原稿を、読み取りたい画像情報がある面を上向きにしたフェイスアップ状態でセットする。この時、セット原稿により自動給紙用原稿検知センサレバー２３７が押し下げられ、センサ１（原稿検知センサ２３８）がＯＮとなる。
【０１０２】
［ステップ１０２］  原稿読み取り開始スイッチ（不図示）を押す。
【０１０３】
［ステップ１０３］  駆動モータ２２２（図２）が時計周り方向に回転する。駆動モータ２２２の回転に伴い揺動板２３４が上昇して原稿先端部上面をピックアップローラ２５５に押し当てる。ピックアップローラ２５５は原稿搬送方向に回転しているため、原稿の搬送が開始される。
【０１０４】
ピックアップローラ２５５にて搬送された原稿は分離ローラ２５６と分離パッド２３９で構成される分離部により最上位の原稿が一枚分離され、さらに搬送されていく。
【０１０５】
［ステップ１０４］  分離部を通過した原稿は、レジストセンサレバー２５２を押し上げ、センサ２（レジストセンサ２５３）がＯＮとなる。この時カウンタはリセットされ、送りパルス数のカウントを開始する。
【０１０６】
［ステップ１０５］  さらに原稿は搬送され、第１搬送ローラ２４２とコロ２６０のニップ部に原稿先端が当たる。第１搬送ローラ２４２は止まっているため、原稿にはループが生じてくる。
【０１０７】
そこで送りパルス数がｎ1 になったところで駆動モータ２２２がストップする。なお、この時原稿の斜行補正が行なわれている。
【０１０８】
［ステップ１０６］  駆動モータ２２２が反時計回り方向に回転する。駆動モータ２２２の回転に伴い第１搬送ローラ２４２、第２搬送ローラ２０６、排紙ローラ２０７の原稿搬送方向への回転が開始される。と同時に揺動板２３４は待機位置まで下降し、ピックアップローラ２５５、分離ローラ２５６の回転は止る。第１搬送ローラ２４２にてループを作った状態で留まっていた原稿は再び搬送されていく。
【０１０９】
［ステップ１０７］  第１搬送ローラ２４２、Ｕターン形状部Ｕ、第２搬送ローラ２０６を経て表裏反転されて搬送された原稿は、エッヂセンサレバー２０９を押し下げ、センサ４（エッヂセンサ２１０）がＯＮとなる。この時カウンタはリセットされ、送りパルス数のカウントを開始する。
【０１１０】
［ステップ１０８］  さらに原稿は搬送され、パルス数がｎ2 になったところでコンタクトイメージセンサ２０８による原稿の下向き画像面の読み取りが開始される。
【０１１１】
［ステップ１０９］  原稿はさらに搬送および読み取りが行なわれ、原稿の後端がエッジセンサレバー２０９の位置を通過すると該レバー２０９がもとの状態に戻り、センサ４（エッヂセンサ２１０）がＯＦＦとなる。この時カウンタはリセットされ、送りパルス数のカウントを開始する。
【０１１２】
［ステップ１１０］  さらに原稿は搬送され、パルス数がｎ3 になったところでコンタクトイメージセンサ２０８による読み取りは終了する。と同時にカウンタはリセットされ、送りパルス数のカウントを開始する。
【０１１３】
［ステップ１１１］  この時、センサ１（原稿検知センサ２３８）がＯＮかＯＦＦかチェックする。
【０１１４】
センサ１がＯＮのときは再びステップ１０３に戻り同じ動作を行なっていく。センサ１がＯＦＦのときは排紙モードに移る。
【０１１５】
［ステップ１１２］  原稿の搬送が行なわれ、パルス数がｎ4 になったところで駆動モータ２２２の駆動をストップさせる。排紙された原稿は、読み取られた面が下になって即ちフェイスダウンモードでつぎつぎに重なっていくためセット時の順番に狂いはなく、原稿排出トレイ２１４・原稿排出トレイ受け２１３上にストックされていく。
【０１１６】
以上で、自動給紙用の給紙口に原稿セットして読み取りを行なわせる場合の動作は完了する。
【０１１７】
Ｂ）原稿手差し給紙モード（図７・図８）
次に手差し給紙用の給紙口から原稿をセットして読み取りを行なわせる場合はつぎのとおりである。
【０１１８】
［ステップ２０１］  まず手差し原稿トレイ２１６を図３・図４の２点鎖線示の不使用時の第２姿勢から実線示の第１姿勢に転換する。
【０１１９】
原稿をこの手差し原稿トレイ２１６に沿わせながらスライダ２８２により原稿右端を規制しながら手差し原稿ガイド２１５と後カバー２１７により形成される原稿挿入口から原稿を読み取る画像情報がある面を下向きにしてその先端が第２搬送ローラ２０６とコロ２４３の圧接ニップ部に突き当たるように手差し給紙用シートパス２１５ａ内へ挿入してセットする。この時原稿により手差し原稿検知センサレバー２１１が押し下げられ、センサ３（手差し原稿検知センサ）がＯＮとなる。
【０１２０】
［ステップ２０２］  センサ３がＯＮしてから約ｔ秒の待ち時間の後、駆動モータ２２２が反時計回り方向に回転する。第２搬送ローラ２０６とコロ２４３にて搬送された原稿はエッヂセンサレバー２０９を押し下げ、センサ４（エッヂセンサ２１０）がＯＮとなる。この時カウンタはリセットされ、送りパルス数のカウントを開始する。
【０１２１】
［ステップ２０３］  さらに原稿は搬送され、パルス数ｎ5 になったところで駆動モータ２２２をいったんストップさせる。
【０１２２】
［ステップ２０４］  原稿読み取り開始スイッチ（不図示）を押す。
【０１２３】
［ステップ２０５］  原稿は再び搬送され、パルス数がｎ6 になったところでコンタクトイメージセンサ２０８による読み取りが開始される。
【０１２４】
［ステップ２０６］  原稿はさらに搬送および読み取りが行なわれ、原稿の後端がエッジセンサレバー２０９の位置を通過すると該レバー２０９がもとの状態に戻り、センサ４（エッヂセンサ）がＯＦＦとなる。この時カウンタはリセットされ、送りパルス数のカウントを開始する。
【０１２５】
［ステップ２０７］  さらに原稿は搬送され、パルス数がｎ3 になったところでコンタクトイメージセンサ２０８による読み取りは終了する。と同時にカウンタはリセットされ送り、パルス数のカウントを開始する。
【０１２６】
［ステップ２０８］  原稿の搬送が行なわれ、パルス数がｎ4 になったところで駆動モータ２２２の駆動をストップさせる。
【０１２７】
排紙された原稿は、読み取られた面を下向きにして即ちフェイスダウンモードで原稿排出トレイ２１４・原稿トレイ受け２１３上にストックされる。
【０１２８】
以上で手差し給紙口から原稿をセットして読み取りを行なわせる場合の動作は完了する。
【０１２９】
また上記Ａ）の原稿自動給紙モード、Ｂ）原稿手差し給紙モードのどちらの動作においても、自動給紙用原稿検知センサ２３８および手差し給紙用原稿検知センサ（不図示）が同時にＯＮとなる時は、搬送路中に２つの原稿が存在する怖れがあるためにエラーと判断し、この状態が解除されるまで、その後の動作は一切行なわない。
【０１３０】
（３）電装系、制御系統（図２・図９）
図２において、実装面を上側にした電気ボード１４０は、原稿読み取り手段２００の左側にあり、かつ原稿読み取り手段２００で使われるセンサー類２３８・２５３・２１０（図４）および駆動モータ２２２および装置冷却用ファン１５１等の複数のコネクターを一括処理するための中継ボードである。
【０１３１】
中継ボード１４０で一括処理された信号ケーブル１４１は、画像記録手段１００の左側に縦置きに配置された電気ボード１４２に接続される。
【０１３２】
電気ボード１４２は、前述の画像記録手段１００の各部と電気的に接続されるとともに、外部のパソコンと接続されている。さらに他のファクシミリと交信する際に通信制御をするＮＣＵボード等の電気ボード１４３にも接続されている。つまり電気ボード１４２は、パソコンからのプリント信号あるいは原稿読み取り手段２００からの画像信号あるいは他のファクシミリからの受信信号を処理する画像処理用ボードである。
【０１３３】
複合機能例えばコピーモード、ファクシミリモード等を選択するキー、およびファクシミリ送信するときのダイヤルキー、および装置状態等を示す表示部等を備えた操作部１４４は、画像記録手段１００の左上面部に操作面を傾斜状態にしておかれており、さらに装置正面側より操作可能となっている。さらに操作部１４４は画像処理ボード１４２に電気的に接続されている。
【０１３４】
図９は上記電装系を含めたプリンタ制御系統のブロック図である。
【０１３５】
（４）原稿読み取り手段２００のより詳細な構成説明
原稿読み取り手段２００は、以下に詳しく述べるように大別して、下ユニット、中ユニット、上ユニットの３つのユニットから構成されている。この下・中・上の３つのユニットの夫々の概略斜視図を図１０・図１１・図１４に示した。図１１・図１４は一部切欠き斜視図である。
【０１３６】
Ａ）下ユニット（図１０）
下ユニットは、原稿読み取り手段２００の主たる構造体であり、同時に後述の原稿ガイド２１２と後述の中ユニットの回転原稿ガイド下２３１（図１１）によるＵターン形状搬送路Ｕ（図４）のＵ形状部以降のストレート部および原稿ガイド２１２と後述の後カバー２１７による手差し用の分岐搬送路２１５ａ（図４）を形成するものである。その構成を以下に説明する。
【０１３７】
下ステー２０１（図４）はおよそ箱型に折曲げられた板金であり、その左右方向の両端面にある出っ張り部各々２箇所がＬ型に曲げられた板金である左側板２０２と右側板２０３の下方の２箇所の切り欠き穴に差し込まれ位置決めされビスにより締結されている。
【０１３８】
また、これも箱型に折曲げられた後ステー２０４が、左側板２０２および右側板２０３に接する曲げ面に設けられたＵ溝の切り欠き部と左側板２０２、右側板２０３にあるエンボスで側板後方に位置決めされ、ビス締めされている。
【０１３９】
さらに、これも箱型に折曲げられた前ステー２０５が、左右方向の両端面にある出っ張り部１箇所と左側板２０２と右側板２０３の前方上部の切り欠きにより位置決めされて、ビス締めされている。
【０１４０】
左側板２０２と右側板２０３の両側板間に、軸受け（不図示）を介してＵターン形状部下流に原稿の主搬送手段となる第２搬送ローラ２０６が、また読み取り部２０８の下流に排紙のための排紙ローラ２０７が回転可能に取付けられている。
【０１４１】
下ステー２０１には、読み取り部であるコンタクトイメージセンサ２０８が取付け板（不図示）を介して第２搬送ローラ２０６と排紙ローラ２０７の間に読み取り面が上を向く形で取付けられている。
【０１４２】
さらに第２搬送ローラ２０６とコンタクトイメージセンサ２０８の間に搬送された原稿の先端を検知するためのエッヂセンサレバー２０９が揺動可能な形で下ステー２０１に取付けられている。このエッヂセンサレバー２０９と組み合わせるエッヂセンサ２１０（図４）も下ステー２０１に取付けられている。
【０１４３】
また、手差し搬送路２１５ａ（図４）において第２搬送ローラ２０６より上流側の位置の下ステー２０１部に手差し原稿検知レバー２１１が揺動可能に取付けられている。この手差し原稿検知レバー２１１と組み合わせる手差し原稿検知センサ（不図示）も下ステー２０１に取付けられている。
【０１４４】
第２搬送ローラ２０６のローラ部、排紙ローラ２０７のローラ部、コンタクトイメージセンサ２０８の読み取りガラス面、エッヂセンサレバー２０９のレバー先端部、手差し原稿検知レバー２１１のレバー先端部に対応した逃げ穴を有する原稿ガイド２１２は、第２搬送ローラ２０６、排紙ローラ２０７、コンタクトイメージセンサ２０８、エッヂセンサレバー２０９、手差し原稿検知レバー２１１を覆うような形で左側板２０２と右側板２０３の各折曲げ部に上方よりビスで固定されている。
【０１４５】
この原稿ガイド２１２は、Ｕターン形状搬送路の後半の直線部および、手差し給紙用分岐搬送路の一部を形成するものであり、前記逃げ穴により、ローラ、レバー部、読み取りガラス面等は、ガイド面より出っ張った形となる。
【０１４６】
また、排紙ローラ２０７の下部から下流側に延びる形で排紙された原稿をストックするための原稿排出トレイ受け２１３と原稿排出トレイ２１４が取付けられている。この原稿排出トレイ２１４は、トレイの出っ張りが邪魔なときなど後述の原稿トレイ２８０とともに回避（図２０・図２１）できるように原稿排出トレイ受け２１３にヒンジ部２１３ａを中心に回動可能に取り付いている。
【０１４７】
また、原稿ガイド２１２の手差し給紙用分岐路２１５ａに於ける上流側端面に滑らかにつながるように手差し原稿ガイド２１５（図４）が、左側板２０２と右側板２０３の両側板に取付けられ、手差し給紙用分岐搬送路２１５ａの一部を形成している。
【０１４８】
さらに使用時は、前記手差し原稿ガイド２１５に滑らかにつながって手差し給紙の際の給紙ガイドになり、不使用時は回転スライドして収納できる手差し原稿トレイ２１６が手差し原稿ガイド２１５に取付けられている。
【０１４９】
この手差し原稿トレイ２１６は、左端側に突き当て用壁２１６ａを有し、さらに原稿の主走査方向にスライド可能なスライダ２８２が設けられ、突き当て用壁２１６ａとスライダ２８２により搬送される原稿の主走査方向の位置規制を行なうものである。また、原稿読み取り手段２００の後カバーの役目をし、一部が手差し原稿ガイド２１５に対向して手差し給紙用分岐搬送路の上部を形成するような後カバー２１７が後ステー２０４に取付けられている。
【０１５０】
この後カバー２１７は、操作者が手差し給紙用の給紙口に原稿をセットする時に手差し原稿トレイ２１６の突き当て用壁２１６ａとスライダ２８２がよく視認できるように斜面２１７ａ（図４）を有したような形状となっている。
【０１５１】
左側板２０２および右側板２０３の両側板の上部後方には中ユニットおよび上ユニットとの連結および回転中心となる回転軸２１８が軸受け２１９・２２０を介して回転可能に取付けられている。
【０１５２】
モータギア２２１をモータ軸に固着した駆動モータ２２２は、かみ合う第１減速ギア２２３とともにモータ固定板２２４に取付けられている。このモータ固定板２２４は左側板２０２に取付けられ、左側板２０２に取付けられている第２減速ギア２２５と連結される。
【０１５３】
また、後述の上ユニットの開閉カバー２５４（図１４）の爪部２５４ａに対して、上部は導入するための斜面２２６ａ、下部は左右方向に働くバネの力を分解して上下方向に分け、爪部２５４ａを下方に押すための斜面２２６ｂを形成する樹脂部材と一体になった止めバネ２２６が左側板２０２と、右側板２０３にそれぞれ取付けられている。
【０１５４】
Ｂ）中ユニット（図１１〜図１３）
中ユニットは、自動給紙用搬送路の内側面を形成し、回転軸２１８を回転中心に回動するものである。その構成は、中ユニット左側板２２７と、中ユニット右側板２２８を各側板中央の切り欠き部と箱状に折曲げられた中ユニットステー２２９の左右方向の出っ張り部とで位置決めしてビスを締結し、さらに、Ｕターン形状搬送路の前半の一部を形成する回転原稿ガイド上２３０とＵターン形状搬送路の前半の一部を形成する回転原稿ガイド下２３１が挟み込むような形で取付けられている。
【０１５５】
さらに回転原稿ガイド上２３０の手前には自動給紙部の機構が設けられている。この給紙機構はつぎのとおりである。
【０１５６】
中ユニットステー２２９の切り起こし面２２９ａと中ユニット右側板２２８にわたり軸受け２３２を介して回転可能となる揺動軸２３３が取付けられている。
【０１５７】
原稿を持ち上げて後述のピックアップローラ２５５（図４・図１４）に押し当てるための揺動板２３４は、片側は揺動軸２３３に、もう片側は中ユニット左側板２２７上の揺動軸２３３と同軸の位置に固定のための板金と揺動回転のための軸が一体となった嵌合部材２８５に揺動可能に取付けられている。この揺動軸２３３に固着され、揺動軸２３３の回転に伴い揺動板２３４を上げ下げさせるための揺動アーム２３５と、揺動アーム２３５の先にフローティング状態で保持され、揺動軸２３３の回転による力を揺動板２３４に均一に伝えるための揺動駒２３６が取付けられている。
【０１５８】
なお、この揺動軸２３３の軸上には、自動給紙用原稿検知センサレバー２３７が取付けられている。この自動給紙用原稿検知センサレバー２３７は、揺動軸２３３の回転とは無関係にレバー自身の自重により姿勢を保っている。この自動給紙用原稿検知センサレバー２３７と組み合わせる自動給紙用原稿検知センサ２３８は前述した下ユニットの前ステー２０５（図４）に取付けられている。
【０１５９】
回転原稿ガイド上２３０は、揺動板２３４が下がった時に原稿が突き当てられるように突き当てリブ２３０ａを有し、リブ２３０ａの下流にゴム製の分離パッド２３９が、バネ２４０（図４）により後述の分離ローラ２５６の方向に押圧された状態で取り付いている。
【０１６０】
さらに、回転原稿ガイド上２３０のＵターン形状が始まる直前の部分に中ユニット左側板２２７と中ユニット右側板２２８をわたすように軸受け２４１を介して第１搬送ローラ２４２が回転可能に取付けられている。
【０１６１】
回転原稿ガイド下２３１内には、図１２に示すように、下ユニット側である第２搬送ローラ２０６および排紙ローラ２０７のローラ部に対向する位置にそれぞれのコロ２４３、コロ２９０が各々のコロ軸２４４、コロ軸２８２上に回転可能な形で取付けられている。
【０１６２】
このコロ２４３、コロ２９０は、中ユニットステー２２９に固着された板バネである第２搬送バネ２４５、排紙バネ２４６がそれぞれのコロ軸２４４、コロ軸２８２を各ローラ方向に押すとともに後述の位置決め機構により第２搬送ローラ２０６、排紙ローラ２０７に対しそれぞれ所定の押圧力で押しつけられる。
【０１６３】
また回転原稿ガイド下２３１のコンタクトイメージセンサ２０８のガラス面に対向する位置周辺には、側面が凹状の段２３１ａ（図１２、図１３（ａ））が設けられている。そこにコンタクトイメージセンサ２０８の読み取りの白基準となる白色のマイラ（ポリエチレンテレフタレートフィルム）による白基準２４７が、搬送方向上流側の端面は回転原稿ガイド下２３１の凹状の段２３１ａの上流部に原稿が引っ掛からないように固着（接着）ａされ、他端は概ねＺ型に曲げた板金２４８の平行になった面の片側に接着されている。白基準マイラ２４７に接着された板金２４８の平行になったもう一つの面は外側に出っ張る形となっている。回転原稿ガイド下２３１の凹状の段２３１ａの下流側端部には、板金２４８の出っ張り面を回避するための切り欠き穴２３１ｂが数箇所に設けられており、板金２４８の出っ張った先端はその切り欠き穴２３１ｂに差し込まれている。
【０１６４】
この白基準マイラ２４７をコンタクトイメージセンサ２０８に密着させるための負荷とするための棒２４９が、コンタクトイメージセンサ２０８の読み取り位置に対向する位置で回転原稿ガイド下２３１に上下方向に移動可能な状態で保持されている。白基準マイラ２４７に取り付いた板金２４８と回転原稿ガイド下２３１の切り欠き穴２３１ｂの間には、ある程度の隙間があり、そのため、白基準マイラ２４７はスムーズに上下方向に移動可能となっている。この棒２４９の自重により白基準マイラ２４７は、均一にコンタクトイメージセンサ２０８のガラス面に密着されられる。
【０１６５】
回転原稿ガイド上２３０、回転原稿ガイド下２３１が形成するＵターン形状搬送路ＵのＵ形状部の外側面となるＵ形状ガイド２５０（図４・図１１）は、このＵ形状ガイド２５０の左右端面の位置決めボス２５０ａ（図１１）が中ユニット左側板２２７と中ユニット右側板２２８の位置決め穴に差し込まれ位置が決まり、Ｕガイド取り付け板２５１を介して中ユニット左側板２２７と中ユニット右側板２２８に固定されている。このＵガイド取付け板２５１は、Ｕ形状ガイド２５０のソリを矯正する役目も兼ねている。
【０１６６】
また、Ｕ形状ガイド２５０の搬送路と反対側に強度アップのために設けられたリブ部の上部に設けられたＵ溝２５０ｂを回動中心とし、先端が第一搬送ローラ２４２より搬送方向で上流側にあるようにレジストセンサレバー２５２が設けられている。このレジストセンサレバー２５２と組み合わせるレジストセンサ２５３（図４）は下ユニットの後ステー２０４に取付けられている。
【０１６７】
さらに自動給紙用の原稿トレイ２８０が中ユニット左側板２２７および中ユニット右側板２２８にヒンジ部２２７ｃ・２２８ｃを中心に回動可能に取付けられている。この原稿トレイ２８０は、左端側に突き当て壁２８０ａ（図１）を有し、さらに原稿の主走査方向にスライド可能なスライド２８１が設けられ、突き当て用壁２８０ａとスライダ２８１により搬送される原稿の主走査方向の規制を行なうものである。
【０１６８】
Ｃ）上ユニット（図１４）
上ユニットは、Ｕターン形状搬送路ＵのＵ形状部上流の搬送路の外側面を形成するものであり、これも回転軸２１８を回転中心に回動するものである。その構成は、以下のとおりである。
【０１６９】
開閉カバー２５４には搬送路に沿うリブ（不図示）が形作られ、下ユニットの止めバネ２２６（図１０）に対向する爪２５４ａを有している。この開閉カバー２５４には、揺動板２３４（図１１）と対向して原稿の分離を行なうためのピックアップローラ２５５、分離パッド２３９（図１１）と対向して原稿の分離を行なうための分離ローラ２５６が回転可能に取り付けられている。
【０１７０】
ピックアップローラ２５５・分離ローラ２５６は共にゴムローラ部と駆動プーリ部が一体となっており、互いのローラ間の駆動はタイミングベルト２５７により伝えられている。
【０１７１】
分離ローラ２５６の軸上には、バネクラッチ２５８を介して分離ローラ２５６と接続されている分離プーリ２５９が取付けられている。
【０１７２】
さらに、第１搬送ローラ２４２（図１１）と対向する位置に搬送コロ２６０がコロ軸２６１に回転可能な形で開閉カバー２５４に取付けられている。
【０１７３】
また搬送コロ２６０を抑圧するための板バネによる搬送バネ２６２が開閉カバー２５４に取付けられ、コロ軸２６１を第１搬送ローラ２４２の方向に押すとともに後述の位置決め機構により第１搬送ローラ２４２に対し所定の押圧力で押しつけられている。
【０１７４】
分離プーリ２５９は、回転軸２１８の軸に固着されている駆動プーリ２６３とタイミングベルト２６４により連結されている。
【０１７５】
以上図１０・図１１・図１４の３つの下・中・上ユニットが、下ユニットの左側板２０２・右側板２０３、中ユニットの左側板２２７・右側板２２８、上ユニットの開閉カバー２５４は、それぞれの軸受け穴に軸受けを介して回転軸２１８中心に連結される。
【０１７６】
中ユニット（図１１）の左側板２２７・右側板２２８には下ユニットに対する位置決めのための端面２２７ａ部・２２８ａ部と、上ユニットに対する位置決めのための端面２２７ｂ部・２２８ｂ部がある。端面２２７ａ部、２２８ａ部は、下ユニットの前ステー２０５の上面部２０５ｃ部（図１０）に突き当たり、さらに端面２２７ｂ部、２２８ｂ部は、上ユニットの開閉カバー２５４の位置決め用リブ（不図示）に突き当たり、下・中・上の各ユニット相互間の位置決めがなされる。このとき上ユニット側の開閉カバー２５４の爪部２５４ａが、下ユニット側の止めバネ２２６を押し開き、その止めバネ２２６により爪部が下方に力を受けることで、互いの突き当たった状態を保持し、同時に各ローラに加わる所定の押圧が得られる。
【０１７７】
また、電気部品であるフォトセンサ２１０、２３８・２５３および手差し検知用フォトセンサ（不図示）、さらに駆動モータ２２２はすべて固定ユニットである下ユニットに取付けられている。
【０１７８】
Ｄ）駆動系（図１５・図１６）
上記３つの下・中・上ユニットで構成される原稿読み取り手段２００の駆動系を図１５・図１６を用いて説明する。
【０１７９】
図１５は下ユニット、上ユニットおよび中ユニットの第１搬送ローラ２４２までの駆動伝達を表したものである。
【０１８０】
モータ２２２（図１０）の軸上にあるモータギア２２１は、第１減速ギア２２３、第２減速ギア２２５を経てアイドラギア２６５と第２搬送ローラギア２６６のふたつに別れる。
【０１８１】
第２搬送ローラギア２６６は、一方向のみ駆動を伝えるワンウェイクラッチを内包するギアであり、モータギア２２１が実線の矢印の回転時（反時計方向回転時）のみ第２搬送ローラ２０６に駆動か伝達されるように取付いている。
【０１８２】
第２搬送ローラ２０６の反対側の軸端には、ギア２７１が固着されていてアイドラギア２７２・２７３・２７４を経て排紙ローラ２０７に固着されている排紙ローラギア２７５へとつながる。
【０１８３】
別れた片方のアイドラギア２６５は、回転軸２１８に固着されているギア２６７につながる。
【０１８４】
この回転軸２１８には、さらに駆動プーリ２６３が軸中央部に、またギア２６８（図１１）が中ユニット右側板２２８のさらに右側に固着されている。
【０１８５】
駆動プーリ２６３は、タイミングベルト２６４を介して分離プーリ２５９とつながる。分離プーリ２５９の同軸上には、分離ローラ２５６が有り、バネクラッチ２５８を介して接続されている。
【０１８６】
このバネクラッチ２５８はモータギア２２１が一点鎖線の矢印の回転の時のみに分離プーリ２５９から分離ローラ２５６へ駆動が伝わるように取付けられている。
【０１８７】
分離ローラ２５６のプーリ部は、タイミングベルト２５７を介してピックアップローラ２５５のプーリ部と接続されている。
【０１８８】
回転軸２１８上の中ユニット右側板２２８（図１１）より右側にあるギア２６８はアイドラギア２６９を介して第１搬送ローラ２４２上の第１搬送ローラギア２７０とつながっている。
【０１８９】
この第１搬送ローラギア２７０は一方向のみの駆動を伝えるワンウェイクラッチを内包するギアであり、モータギア２２１が実線の矢印の回転時（反時計方向回転時）のみ第１搬送ローラ２４２に駆動が伝達するように取り付いている。
【０１９０】
図１６は第１搬送ローラ２４２以降の揺動板２３４（図１１）の動作に関する駆動伝達を表したものである。
【０１９１】
第１搬送ローラ２４２上の第１搬送ローラギア２７０にトリクリミッタを内包した減速ギア２７６が接続し、減速ギア２７７・アイドラギア２７８をへて、揺動軸２３３上に固着されている揺動ギア２７９とつながっている。
【０１９２】
揺動軸２３３には揺動アーム２３５が固着され、この揺動アーム２３５には、フローティング状態で揺動駒２３６が取り付いている。この揺動駒２３６と接している揺動板２３４は、揺動アーム２３５の動きに応じて上下するようになっている。
【０１９３】
第１搬送ローラギア２７０の回転方向の如何にかかわらず揺動軸２３３には駆動が伝達されるが、減速ギア２７６に内包されたトルクリミッタにより揺動アーム２３５および揺動駒２３６が揺動板２３４を介してピックアツプローラ２５５、あるいは中ユニットステー２２９につき当り滑りを生じるようになっている。このとき減速ギア２７６に内包されたトルクリミッタで発生する滑りトルクにより、ピックアップローラ２５５は、搬送されるべき原稿に対して所定の圧力を加えることができる。
【０１９４】
駆動系全体の動きとしては次のようになる。
【０１９５】
図１５において、モータギア２２１が一点鎖線の矢印方向の回転の時（時計方向回転時）は、第２搬送ローラギア２６６で第２搬送ローラ２０６以降の駆動が切断され、かつ第１搬送ローラギア２７０で第１搬送ローラ２４２への駆動が切断され、結果、ピックアップローラ２５５および分離ローラ２５６が一点鎖線方向に回転し、揺動アーム２３５は一点鎖線方向に回動し、揺動板２３４が載せた原稿がピックアップローラ２５５に突き当たることで動きが止まる。
【０１９６】
モータギア２２１が実線の矢印方向の回転の時（反時計方向回転時）は、分離ローラ部のバネクラッチ２５８の働きにより駆動が分離ローラ２５６以降は、切断され、結果、第１搬送ローラ２４２・第２搬送ローラ２０６・排紙ローラ２０７が実線方向に回転し、揺動アーム２３５は、実線方向に回動し、揺動アーム２３５が中ユニットステー２２９に突き当たることで動きが止まる。
【０１９７】
また、この原稿読み取り手段２００を構成する下・中・上の３つのユニットを連結する回転軸２１８を介して各ユニットへの駆動の伝達がなされているため開閉等によりユニットが分割する場合でも駆動系の分割は起こらない。
【０１９８】
（５）原稿読み取り手段２００の異常時及びメンテナンス（図１７〜図１９）次に、この原稿読み取り手段２００において、異常時およびメインテナンスを行なうときのやり方を図１７〜図１９に示す。
【０１９９】
図１７は、原稿自動給紙時において、Ｕターン形状部より原稿搬送方向上流側において原稿のジャム等が発生したときや上ユニットおよび中ユニットの搬送路前半部の清掃や部品交換等のメインテナンスの場合の装置開放（第１開放形態）の様子を示した断面図である。
【０２００】
上ユニットの開閉カバー２５４の爪部２５４ａ（図１４）と下ユニットの止めバネ２２６（図１０）との結びつきを開閉カバー２５４をバネ力に抗して開けることにより解除して、上ユニットである開閉カバー２５４を軸２１８を中心に開き起こす。
【０２０１】
これにより各ローラ部等の抑圧が解除されるため、軽度のジャム解除や読み取りの中止の際の原稿の取り出し等はそのまま行なえるし、重度のジャム解除や部品等のメインテナンス等もピックアップローラ２５５から第１搬送ローラ２４２までの搬送路が図に示すように大きく完全に二分割されるため容易に行なえる。
【０２０２】
図１８は自動給紙時においてＵターン形状部Ｕより下流側において、あるいは手差し給紙時においての原稿のジャム等が発生したときや中ユニットの搬送路後半部および下ユニットの部品の清掃等のメインテナンスの場合の装置開放（第２開放形態）の様子を示した断面図である。これも押圧の解除は、上記第１開放形態の時と同様に開閉カバー２５４の爪部２５４ａと止めバネ２２６との結び付きを解除するだけでよい。
【０２０３】
原稿の先端が排紙ローラ２０７を通過して操作者が触れることがてき、かつ比較的軽度のジャムなどの場合は、そのまま手前に引っ張って取り出すことも可能である。
【０２０４】
その他のジャム等の異常事態やコンタクトイメージセンサ２０８等の清掃等のメインテナンスを行なう場合は、図に示すようにまず上ユニットをなす開閉カバー２５４を軸２１８を中心に大きく９０度以上開けて奥側に立てかけた後に、中ユニットを軸２１８を中心に作業がやりやすい位置まで開いて行なえるため容易に作業が行なえる。
【０２０５】
図１９は、中ユニットの搬送路後半部および下ユニットの部品等の交換等の清掃等のメインテナンスを行なう場合の装置開放形態（第３開放形態）の様子を示した断面図である。これも押圧の解除は、第１開放形態の時と同様に開閉カバー２５４の爪部と止めバネ２２６との結び付きを解除するだけでよい。
【０２０６】
さらに図に示すように中ユニットと上ユニットを一つにまとめる形で軸２１８を中心に９０度以上開けて立てかけた状態にする。この状態で、例えば原稿ガイド２１２あるいはコンタクトイメージセンサ２０８の取り外しあるいは白基準板２４７の清掃などが容易にできる。
【０２０７】
以上により、通常はＵターン形状などの搬送路を挟んで３つに分割する系はジャム解除やメインテナンスに煩わしさが伴っていたが、押圧の解除は、一回の動作で行なえ、しかもユニットの開口を大きく取れるため作業もやりやすい。
【０２０８】
（６）本実施例装置の効果
本例装置は上記構成、即ち、
ａ．画像記録手段と、該画像記録手段の記録紙排出部略上方に位置するとともに少なくとも前記画像記録手段を制御する画像処理部に画像信号を与える原稿読み取り手段とから一体的に構成され、前記原稿読み取り手段における原稿搬送路の少なくとも一部は略Ｕターン形状搬送路から構成され、かつ原稿進入方向および原稿排出方向、さらに前記画像記録手段における記録紙排出方向および記録紙収容箱脱装着方向等の装置アクセス方向が装置の奥行き方向に略平行であること、
ｂ．前記原稿読み取り手段の原稿搬送路は、原稿入り口部が原稿出口部より上方にあり、かつ原稿入り口部近傍に原稿表面を上側にした状態で搬送可能な自動給紙機構を備えた自動給紙時用略Ｕターン形状搬送路、および該自動給紙時用略Ｕターン形状搬送路途中から分岐して、かつ原稿の進行方向が前記自動給紙時用略Ｕターン形状搬送路下流側に向かう分岐搬送路とから構成され、さらに原稿表面上の画像情報を読み取り素子に結像させるために略等倍光学系を用いた読み取り部が、前記自動給紙時用略Ｕターン形状搬送路と前記分岐搬送路との合流口より下流側にあること、
ｃ．前記自動給紙機構は、積み重ね状態にある１枚以上のシート材の少なくとも一部の範囲を載置し、かつ揺動可能な揺動手段と、揺動手段と対向位置にあり、かつ揺動手段上に載置されたシート材の最上シート材を呼び出すための呼び出し手段と、揺動手段よりシート材搬送方向下流側にあり、かつシート材を揺動手段にセットするときにシート材の先端位置を規制するためのシート材突き当て部と、シート材突き当て部よりシート材搬送方向下流側にあり、かつ複数のシート材から１枚のみを分離して下流側に送る分離手段と、揺動手段および呼び出し手段を駆動するためのメインモータ等の１つ以上の駆動源と、駆動源からの駆動力を揺動手段に伝達し、かつシート材と呼び出し手段間圧力の発生源となるトルクリミッタを少なくとも一部に含む駆動伝達手段と、トルクリミッタ出力部に過負荷トルクを与えるためのリミッタ制御手段とから構成され、揺動手段を駆動する駆動源の正逆回転の切り替えにより揺動手段を揺動させ、揺動手段上に載置された１枚以上のシート材から１枚のみを分離搬送する機構であること、
から次のような作用効果を持っている。
【０２０９】
▲１▼．画像記録手段１００から出力される記録紙は記録紙排出部１２５にフェイスダウンモードで排出されるから、順番性が維持されて爾後の並び換えの必要がなく、記録紙順番性は良である。
【０２１０】
▲２▼．原稿は原稿読み取り手段２００の原稿トレイ２８０上にフェイスアップでセットされるので、操作者にとって現在どのような原稿を送ろうとしているかが即座に確認できる。つまり送りミスがなくなるために原稿視認性に優れている。
【０２１１】
▲３▼．画像読み取り済みの原稿は原稿排出トレイ２１３・２１４上にフェイスダウンモードで順次排出されて順次重なるから、排出原稿の順番性が維持できる。
【０２１２】
つまり排出原稿が複数枚ある場合、原稿排出部より取り出した後に順番を並び換える必要がない。
【０２１３】
▲４▼．原稿自動給紙モードにおける原稿読み取り手段２００の原稿トレイ２８０に対する原稿のセット操作、特殊原稿の手差し原稿トレイ２１６を用いての供給操作、読み取り済みの排出原稿の排出トレイ２１３・２１４からの取り出し操作、給紙カセット１１０の脱着操作、特殊記録紙の手差し口１２６からの供給操作、出力記録紙の排出部１２５からの取り出し操作、操作部１４４の操作、ジャム原稿の取り出し、コンタクトセンサの清掃、コンタクトセンサ等の部品交換など原稿読み取り手段２００の異常時の処置操作や保守・点検・修理等のときの操作等をすべて装置（プリンタ本体）前面側より行なうことができるので、前面操作性に優れる。
【０２１４】
▲５▼．画像記録手段１００の給紙カセット１１０はフロントローディング方式でプリンタ本体内に格納されて外方に突出しておらず、出力記録紙はＵターン搬送されてプリンタ本体と原稿読み取り手段２００との間のプリンタ本体上面部を排出部として排出されることで、該出力記録紙排出部も外方に突出しておらず、原稿読み取り手段２００の原稿自動給紙機構も原稿をＵターン搬送して原稿トレイ２８０及び排出トレイ２１３・２１４がプリンタ本体の上部に上下に位置してプリンタ本体の外方へ突き出しておらず、また手差しトレイ２１６は不使用時は原稿読み取り手段２００の背部にたたみ込み収納できるので、装置前後方向の寸法が小さくて全体に設置面積が小さくなりコンパクト化することが可能である。
【０２１５】
▲６▼．読み取り部に、コンタクトイメージセンサ等の等倍光学系を用いているために、装置の高さ方向をコンパクト化することが可能である。
【０２１６】
▲７▼．トルクリミッタを使用した自動給紙機構を用いることにより、省スペースで大容量給紙が可能となる。
【０２１７】
〈実施例２〉（図２０）
本実施例は前述実施例１の多機能画像形成装置において、原稿読み取り手段２００の原稿トレイ２８０及び原稿排出トレイ２１４を、図３のように、その原稿載置面および原稿排出面が装置設置面に対して略平行である第１の位置と、図２０のようにヒンジ部２２８ｃ・２１３ａを中心に起こし回動させて、画像記録手段１００の上方から退避させた第２の位置とに転換自由としてある。
【０２１８】
即ち、原稿トレイ２８０および原稿排出トレイ２１４は各々基部側に回動中心２２８ｃ・２１３ａを持ち、図３の第１の位置状態から、トレイ手前側の端部２８０ｂおよび２１４ｂを手で保持した状態で反時計方向に回動起立させることにより、図２０のように、原稿トレイ２８０は原稿載置面が原稿読み取り手段２００の本体の前面上部角部２５４ａに突き当って受け止め状態となった第２の位置に転換され、また原稿排出トレイ２１４は原稿排出面が上記第２の位置に転換された原稿トレイ２８０の裏面に突き当って受け止め状態となった第２の位置に転換される。
【０２１９】
第２の位置に転換された原稿トレイ２８０及び原稿排出トレイ２１４は共に、第２の位置において各々の重量による回転モーメントの方向が反時計方向になるようにトレイ形状等が設定されているので、トレイ２８０・２１４は第２の位置に転換された後は手を離してもその第２の位置に維持される。
【０２２０】
一方、画像記録手段１００の上面カバー１３０はその基部側の回動軸１３２を中心に開閉回動自由であり、常時は図３のように画像記録手段１００に対して閉じ込んでその表面１３１が装置設置面に対して略平行となった第１の位置に維持されている。この第１の位置の上面カバー１３０の表面１３１は排出ローラ１２３から出力されるフェイスダウン排出紙の排出場所を兼ねる。
【０２２１】
この上面カバー１３０は回動軸１３２に挿入されたネジリバネ１３３の付勢力によって開き方向である反時計方向に回動させられようとするが、図示しないロック手段により付勢力を抗して第１の位置に維持される。
【０２２２】
而して、画像記録手段１００において、ジャム記録紙の除去、プロセスカートリッジＰＣの交換、その他保守・点検・修理等の際には原稿読み取り手段２００の原稿トレイ２８０・原稿排出トレイ２１４を図２０の実線示のように第２の位置に転換して画像記録手段１００の上面カバー１３０の上方から退避させる。
【０２２３】
そして上面カバー１３０のロック機構を解除すると、該上面カバー１３０は回動軸１３２に挿入されたネジリバネ１３３の付勢力により反時計方向に開き回動して表面１３１が装置の上方にある規制部１３４に突き当たってそれ以上の開き回動が阻止されて図２０のように静止する。
【０２２４】
即ち、該上面カバー１３０の開き回動により画像記録手段１００内が開放されて、装置前面よりプロセスカートリッジＰＣを取り出してジャム記録紙の取り除き処置をしたり、プロセスカートリッジＰＣの交換作業をしたりすることが可能である。
【０２２５】
上記作業終了後は、上面カバー１３０をネジリバネ１３３に抗して第１の位置に閉じ回動させてロック機構で開き止めさせ、原稿排出トレイ２１４及び原稿トレイ２８０を順次に元の第１の位置へ復帰回動させる。
【０２２６】
また排出ローラ対１２３から排出部１２５へ出力される記録紙が小サイズ（短いサイズ）のものであるときは原稿読み取り手段２００の原稿トレイ２８０・原稿排出トレイ２１４を第２の位置に退避回動させる、或いは適当な角度に持ち上げ回動させることでその出力小サイズ記録紙の排出部１２５からの取り出しがしやすくなる。
【０２２７】
本実施例の装置も前記実施例１の▲１▼〜▲７▼と同様の効果を有している他に、原稿読み取り手段２００の略Ｕターン形状搬送路の上流にある原稿載置部、および略Ｕターン形状搬送路の下流にある原稿排出部、および画像記録手段の記録紙排出部の少なくとも一部が、各々の回動支点を中心に回動可能であるとともに、各々の表面が装置設置面に対して略平行である第１の位置、および該第１の位置より指定角度のみ回動した第２の位置を持つことから、上記のように画像記録手段１００におけるジャム記録紙の除去作業やプロセスカートリッジＰＣの交換作業等も装置前面より行なうことができて前面操作性がよい。また原稿トレイ２８０および原稿排出トレイ２１４が記録紙排出部から離れた位置に設定できるために、短いサイズの排出記録紙が取りやすくなる。
【０２２８】
〈実施例３〉（図２１）
本実施例は前記実施例２の多機能画像形成装置において、画像記録手段１００の上面カバー１３０の回動軸１３２に挿入されているネジリバネ１３３の付勢力（上面カバー開き回動力）を強く設定することで、原稿読み取り手段２００側の原稿トレイ２８０・原稿排出トレイ２１４を第１の位置にした状態のままにおいて、第１の位置状態の上面カバー１３０のロック機構を解除したとき、図２１の実線示のように該上面カバー１３０の強い開き回動力で、その上の原稿排出トレイ２１４及び原稿トレイ２８０も一緒に回動中心２２８ａ（ｂ）・２１３ａを中心に押し上げ回動させるようにしたものである。
【０２２９】
上面カバー１３０は原稿排出トレイ２１４・原稿トレイ２８０の重量を支えて規制部材１３４でそれ以上の開き回動が阻止される第２の位置まで開き回動して画像記録手段１００が開放状態となる。
【０２３０】
即ち、上面カバー１３０を開く際に原稿トレイ２８０・原稿排出トレイ２１４の退避回動操作をする必要がなくなる。
【０２３１】
画像記録手段１００からのジャム記録紙の取り除きやプロセスカートリッジＰＣの交換等を終了したら上面カバー１３０をネジリバネ１３３に抗して第２の位置から第１の位置へ閉じ回動させてロック機構で開き止めさせる。上面カバー１３０の閉じ回動に伴い、原稿排出トレイ２１４・原稿トレイ２８０も自重で下がり回動して第１の位置へ復帰する。
【０２３２】
本実施例の装置も実施例２と同様の効果を有している他に、上記のように上面カバー１３０の開き止めロックを解除するだけで該上面カバー１３０の開き回動に伴いその上の原稿排出トレイ２１４・原稿トレイ２８０も退避回動するので、実施例２よりも画像記録手段１００の開放操作手順が容易になる。
【０２３３】
〈実施例４〉（図２２〜図２５）
本実施例は、前述図２の多機能画像形成装置において、画像記録手段１００の上面カバー１３０の回動ヒンジ部を図２２〜図２５のような構成としたものである。
【０２３４】
即ち、主として図２４・図２５を参照して、上面カバー１３０の後方（基部側）両端にはカバーヒンジ１３０ａがあり、このカバーヒンジ１３０ａの貫通した穴部１３０ｂには回動軸１３２を記録紙幅方向に通してある。
【０２３５】
上面カバー１３０は回動軸１３２を支点として回動可能となっている。回動軸１３２にはカバーヒンジ１３０ａより右側に飛び出た部分にネジリバネ１３３と後述のスライダー１３６が挿入されている。
【０２３６】
回動軸１３２の先端は装置本体カバー１０００にあり、前後方向に延びている長穴１０１０とかん合しており、回動軸１３２の抜け防止のため、止め輪１３２１が付いている。
【０２３７】
ネジリバネ１３３はカバーヒンジ１３０ａとスライダー１３６の突起部１３６ａに引っかけてあり、付勢力によって上面カバー１３０を回動軸１３２を支点として反時計方向、即ち開き方向に回動させようとする。
【０２３８】
一方、スライダー１３６がネジリバネ１３３の付勢力で時計方向に回動しないように、スライダー１３６の前面右側にボス１３６ｂがあり長穴１０１０とかん合している。スライダー１３６の背面には、圧縮バネ１３５が装置本体カバー１０００と一体のバネ受け１３７との間に挟まれており、スライダー１３６を圧縮バネ１３５の付勢力によって、装置前面方向に動かそうとする。この時、スライダー１３６に挿入されている回転軸１３２は上面カバー１３０にも挿入されているので、該上面カバー１３０も装置前面方向に付勢力を受けることになる。
【０２３９】
上記のように、上面カバー１３０は反時計方向と同時に装置前面方向にも付勢力が受けるが、図示しないロック手段により付勢力を抗して第１の位置を維持している。
【０２４０】
また図示していないが、上面カバー１３０の後方左側のカバーヒンジ１３０ａにも前記の機構を備えている。
【０２４１】
次に動作を説明すると、前述の図示しないロック手段を解除すると上面カバー１３０は回転軸１３２に挿入されたネジリバネ１３３の付勢力により反時計方向に開き回動して表面１３１が装置の上方にある規制部１３４（図２２・図２３）に突き当たり、かつ回転軸１３２に挿入されたスライダー１３６を付勢する圧縮バネ１３５によって、スライダー１３６と共に装置前面方向に動きスライダー１３６のボス１３６ｂが装置本体カバー１０００の長穴１０１０の曲面部分１０１１に突き当たって静止する第２の位置となる。
【０２４２】
上面カバー１３０を閉じる時はユーザーが該カバー１３０をネジリバネ１３３の付勢力に抗して、図示しないロック手段の近くまで時計方向に回動させ、次に圧縮バネ１３５の付勢力に抗して回動軸１３２が長穴１０１０の曲面部１０１２に突き当たるまで押して、再び時計方向に回動させて、図示しないロック手段により付勢力を抗して第１の位置を維持する。
【０２４３】
本実施例の装置は上記構成であるために、前記実施例２の装置と同様の効果を有している他に、画像記録手段の記録紙排出部回動中心、即ち上面カバー１３０の回動中心１３２が記録紙排出部１３０の回動動作に対応して装置手前側に移動することで、上面カバー１３０の回動中心１３２が手前に移動しない場合（図２３において２点鎖線で示す上面カバー１３０、いわゆる実施例２あるいは実施例３の場合）に比較して、上面カバー１３０の開く角度が図２３のように大きくなるので、プロセスカートリッジＰＣの交換およびジャム記録紙の取り出し等の作業が一層容易になる。
【０２４４】
〈実施例５〉（図２６）
本実施例は、前述実施例２の多機能画像形成装置において、図２６のように、原稿読み取り手段２００の原稿排出トレイ２１４を原稿の進行方向の長さよりも短く設定したものである。
【０２４５】
排出原稿Ｏ′の一部は原稿排出トレイ２１４上にストックしきれず、先端部は排出記録紙Ｐ′の上に積載される。しかし排出原稿Ｏ′の後端部は原稿排出トレイ２１４によって排出記録紙Ｐ′と仕分けされているので、排出原稿Ｏ′および排出記録紙Ｐ′を取り出す時に混ぜ合わさる心配がない。
【０２４６】
本実施例の装置は上記構成であるために、前記実施例２の装置と同様の効果を有している他に、原稿排出部が記録紙排出部の少なくとも一部と重複している、即ち画像記録手段１００の上面カバー１３０の上方に原稿排出トレイが存在しないので、排出記録紙Ｐ′の取り出しや、画像記録手段１００からのジャム記録材の取り出しやプロセスカートリッジＰＣの交換等の作業が他の実施例の場合よりも容易になる。
【０２４７】
〈実施例６〉（図２７・図２８）
本実施例は、前述実施例２の多機能画像形成装置において、原稿排出トレイ２１４をなくし、記録紙排出部１２５・１３１を原稿排出部に兼用させたものである。
【０２４８】
この場合原稿と記録紙が同時に排出されるような場合に、両者が混在しないような工夫が必要である。そのために本実施例では図２８のように、原稿の排出方向と直角な原稿幅における中心線ｘと記録紙の排出方向と直角な記録紙幅における中心線ｍとが一致しないように、原稿読み取り手段２００は画像記録手段１００に対してシフトした位置にある。
【０２４９】
本実施例の装置は上記構成であるから、実施例２の装置と同様の効果を有している他に、画像記録手段１００からのジャム記録紙の取り出し、プロセスカートリッジＰＣの交換等の作業は前記実施例５の場合より一層容易になる。また原稿トレイ２８０が記録排出部から離れた位置に設定できるために短いサイズの排出記録紙が実施例５の場合より一層取りやすくなる。
【０２５０】
〈実施例７〉（図２９）
本実施例は、前述実施例２の多機能画像形成装置において、図２９のように、複合機能例えばコピーモード、ファクシミリモード等を選択するキー、およびファクシミリ送信するときのダイヤルキー、および装置状態等を示す表示部等を備えた操作部１４４は画像記録手段１００の左上面部に操作面を傾斜状態にして置かれており、装置正面側より操作可能となっている。
【０２５１】
そしてこの操作部１４４は原稿トレイ２８０の原稿幅方向における左側面２８０ｂおよび原稿排出トレイ２１４の原稿幅方向における左側面２１４ｂに、ｔ１のすきまで近接する輪郭部１４４ａと、回動可能で記録紙排出部となる上面カバー１３０の原稿幅方向における左側面（１３０ａ）にｔ２のすきまで近接する輪郭部１４４ｂとから輪郭の一部が形成されている。
【０２５２】
一方、プロセスカートリッジ（ＰＣ）は感光体以外に記録紙幅方向に感光体を駆動するギヤ等を含んでいるために、このプロセスカートリッジを脱装着するために回動可能な上面カバー１３０の記録紙幅方向に対する横幅は、原稿トレイ２８０および原稿排出トレイ２１４の原稿幅方向に対する横幅よりも大きくなっている。
【０２５３】
したがって、輪郭部１４４ａと輪郭部１４４ｂとは階段上に連結され、さらに連結部である輪郭部１４４ｃは上面カバー１３０の第２の位置を規定するためのストッパーも兼ねている。
【０２５４】
また操作部１４４と、原稿トレイ２８０および原稿排出トレイ２１４および記録紙排出部を兼ねる上面カバー１３０とは、前述のように原稿幅方向および記録紙幅方向においてｔ１およびｔ２のすきまを持っているために、各々の回動動作に差しつかえがない。
【０２５５】
本実施例装置は、前述実施例２の装置と同様の効果を有する他に、操作部領域を最大限有効に使えるために、結果的に装置横幅方向をコンパクト化可能である。
【０２５６】
〈実施例８〉（図３０）
本実施例は、前述実施例２の多機能画像形成装置において、図３０のように、装置両側にある左カバー１５４および右カバー１５７は各々独立して取付け取り外しが可能な構成となっている。
【０２５７】
画像記録手段１００の左側面には、画像記録手段１００を駆動させるための駆動系（不図示）の支持体となるとともに断面がコの字形状をしたギア側板１５０が、図示しないフレームに固定されている。
【０２５８】
更にギア側板１５０の上面折曲げ部には、手前から順番に操作部１４４および中継基板１４０および冷却用ファンモータ１５１が、さらにコの字形状の内部には電気ボード１４２および電気ボード１４３が取付けられている。
【０２５９】
またギア側板１５０の上面部にはビス取付け穴１５３があり、かつ下面部には前後方向に後述の爪引っ掛け用角穴１５２を含む２個の開口部がある。
【０２６０】
左カバー１５４の下面部の前後方向にある引っ掛け用爪１５５、１５５ａを、ギア側板１５０の下面部にある爪引っ掛け用角穴１５２を含む２個の開口部に挿入することにより位置決めがなされる。
【０２６１】
また左カバー１５４の上面部には前後方向にカバー取付け用ボス１５６、１５６ａがあり、ギア側板１５０のビス取付け用穴１５３および原稿読み取り手段２００のフレームの折曲げ部のビス取付け穴１５３ａの位置で固定される。
【０２６２】
同様に右カバー１５７にも下面部に引っ掛け用爪１５８、１５８ａがあり、上面部にはカバー取付け用ボス１５９があり、左カバー１５４と同様に図示しないフレーム右側に設けられた箇所に固定される。
【０２６３】
左カバー１５４および右カバー１５７の取り外しに関しては、前述の工程と逆の工程を実施すればよい。
【０２６４】
本実施例装置は、前述実施例２の装置と同様の効果を有する他に、装置両サイドにある外装カバーの少なくとも一方が、読み取り手段の部品を取り外さなくても、取付け取り外しが可能であること、即ち両サイドの外装カバー１５４・１５７を、原稿読み取り手段２００の部品を取り外さないで取付け取り外しが可能であるので、電気ボード１４２および１４３の調整および交換等のメンテナンスを容易に行なうことが可能である。さらに外装カバー１５４・１５７には操作部等の電気部品が取付けられていないので、外装カバーの取付け取り外しを行なう時に、信号ケーブル等をはさみこむ心配がなくなる。
【０２６５】
〈実施例９〉（図３１）
本実施例の装置は、図３１のように、原稿読み取り手段２００について読み取り部のコンタクトイメージセンサ２０８が略Ｕターン形状搬送路の上流側にある以外は、基本的に実施例２の多機能画像形成装置とほぼ同じである。
【０２６６】
原稿トレイ２８０上に原稿表面を上向きにして載置された複数枚の原稿は、ピックアップローラ２５５によって上位原稿が呼び出される。次にピックアップローラ２５５の下流側にある分離ローラ２５６および分離パッド２３９により１枚のみが分離される。
【０２６７】
分離された１枚の原稿は、さらに下流側にある第１搬送ローラ２４２およびＵターン直前の第２搬送ローラ２０６およびＵターン後の排紙ローラ２０７によって、原稿面を裏面にした状態で、原稿排出トレイ２００８に排出される。
【０２６８】
このとき、原稿面上の画像情報は、第１搬送ローラ２４２と第２搬送ローラ２０６の間に位置し、読み取り面を下側にしたコンタクトイメージセンサ２０８によって読み取られる。
【０２６９】
写真原稿のような厚手の特殊原稿も、原稿表面を上向きにして原稿トレイ２８０上に載置する。一方、画像読み取り手段２００の後方において、Ｕターン部の搬送路の外側面を形成するとともに、回動することにより搬送路を開放するカバー２００９を矢印方向に回動する。
【０２７０】
前述と同じ過程を経て、第２搬送ローラ２０６に到達した特殊原稿は、Ｕターン形状搬送路Ｕが開放されているのでＵターンしないで後方にそのまま排出される。
【０２７１】
本実施例装置は、前述実施例２の装置と同様の効果を有している他に、原稿読み取り手段２００において、原稿経路がＵターン搬送路Ｕを形成しており、かつ特殊原稿用開放カバー２００９は不使用時には原稿読み取り手段２００に収納可能であるので装置後方への出っ張り部がない。
【０２７２】
したがって装置の設置面積を少なくすることができるために、装置の前後方向のコンパクト化が可能である。
【０２７３】
また読み取り部に、コンタクトイメージセンサ等の等倍光学系を用いているために、装置の高さ方向をコンパクト化することが可能である。
【０２７４】
そして通常原稿および特殊原稿ともに原稿面を上向きにした状態で、同じ原稿トレイ２０８上に載置するので、ユーザに混乱を招かず操作性に優れている。
【０２７５】
〈実施例１０〉（図３２）
本実施例の原稿読み取り手段２００においては、図３２のように、略Ｕターン形状搬送路Ｕの入口部にある原稿トレイ２８０は、出口部にある原稿排出トレイ２１４より低い位置にある。
【０２７６】
原稿トレイ２８０上に原稿表面を上向きにして載置された複数枚の原稿は、ピックアップローラ２５５によって上位原稿が呼び出される。次にピックアップローラ２５５の下流側にある分離ローラ２５６および分離パッド２３９により１枚のみが分離される。
【０２７７】
分離された１枚の原稿は、さらに下流側にある第１搬送ローラ２４２およびＵターン直前の第２搬送ローラ２０６およびＵターン後の排紙ローラ２０７によって、原稿面を裏面にした状態で原稿排出トレイ２１４に排出される。
【０２７８】
このとき、原稿面上の画像情報は、第１搬送ローラ２４２と第２搬送ローラ２０６のほぼ中間点を読み取り位置とし、略Ｕターン形状搬送路Ｕの内側にあって原稿面を照らす蛍光燈２５０９および原稿面からの反射光２５１０の進路をＵターン形状搬送路内側空間内で変える折り返しミラー２５１１、２５１２、２５１３およびレンズ２５１４からなる縮小光学系により、読み取り素子であるＣＣＤ２５１５に結像して読み取られる。
【０２７９】
ここに折り返しミラー２５１３は、図面手前側から奥側の方向に反射光２５１０の進路を変えるものであり、さらにＣＣＤ２５１５の読み取り面は図面と同一平面上にある。
【０２８０】
写真原稿のような厚手の特殊原稿も、原稿表面を上向きにして原稿トレイ２８０上に載置する。一方、画像読み取り手段２００の後方において、Ｕターン部搬送路Ｕの外側面を形成するとともに、回動することにより搬送路を開放するカバー２５１６を矢印方向に回動する。
【０２８１】
前述と同じ過程を経て、第２搬送ローラ２５０６に到達した特殊原稿は、Ｕターン形状搬送路が開放されているのでＵターンしないで後方にそのまま排出される。
【０２８２】
本実施例装置は、前述実施例２の装置と同様の効果を有する他に、通常原稿のセット、および特殊原稿のセット、および排出原稿の取り出し、および排出記録紙の取り出し、および紙収容箱の脱装着のすべてを装置の前面より行なうことができるので操作性に優れている。
【０２８３】
原稿経路がＵターン搬送路を形成しており、かつ特殊原稿用開放カバー２５１６は不使用時には原稿読み取り手段２００に収納可能であるので装置後方へ出っ張り部がない。したがって装置の設置面積を少なくすることができるために、装置の前後方向のコンパクト化が可能である。
【０２８４】
ＣＣＤおよび縮小光学系から構成される読み取り部２５０９〜２５１５を、略Ｕターン形状搬送路Ｕの内側に配置して空間を有効に使用することにより、装置の高さ方向をコンパクト化することが可能である。
【０２８５】
通常原稿および特殊原稿ともに原稿面を上向きにした状態で、同じ原稿トレイ２８０上に載置するので、ユーザ混乱を招かず操作性に優れている。
【０２８６】
〈実施例１１〉（図３３・図３４）
本実施例の装置は、前述実施例２の多機能画像形成装置の変形構成であり、図３３は該装置の全体的概略構成図、図３４は原稿・記録紙兼用の排紙ローラ２０７回りの駆動機構の斜視図である。
【０２８７】
本実施例は、画像記録手段１００の画像記録済みの記録紙（プリント用紙）と、原稿読み取り手段２００の排出原稿を共通の排出ローラ２０７にて排出部１２５・１３１へ出力させるようにしたものである。即ち、画像記録手段１００において定着手段１１７を出たプリント用紙はシートパス２７４１を通して原稿読み取り手段２００の排出ローラ２０７へ導びかれ、排出部１２５・１３１にフェイスダウンで排出される。また原稿読み取り手段２００において、画像読み取り済みの原稿は同じく排出ローラ２０７にて排出部１２５・１３１にフェイスダウンで排出される。
【０２８８】
画像記録手段１００と原稿読み取り手段２００との共通の排出ローラ２０７には、画像記録手段１００のプリンタモータ（不図示）からの駆動を伝達するための画像排紙ギア２７５１（図３４）が右側に取付けられている。この画像排紙ギア２７５１はワンウェイクラッチ（不図示）が内包されたギアであり、図３４の一点鎖線の矢印方向に画像排紙ギア２７５１が回転したときに軸２７５２を介して排出ローラ２０７に駆動が伝達するように取付けられている。
【０２８９】
さらに、画像記録排紙ギア２７５１は、排出ローラ２０７が、画像記録手段１００の搬送速度に合った回転速度となるギアの歯数になっている。
【０２９０】
また、排出ローラ２０７の同軸上右端には、原稿読み取り手段２００の駆動モータ２２２（図２・図３０）からの駆動を伝達するための原稿排紙ギア２７５０が画像排紙ギア２７５１に並んで取付けられている。
【０２９１】
この原稿排紙ギア２７５０もワンウェイクラッチ（不図示）が内包されたギアであり、図２９の破線の矢印方向に原稿排紙ギア２７５０が回転した時に駆動が伝達するように取付けられている。
【０２９２】
さらに、原稿排紙ギア２７５０は、排出ローラ２０７が、原稿読み取り手段２００の搬送速度に合った回転速度となるギアの歯数になっている。
【０２９３】
さらに、画像排紙ギア２７５１には、画像排紙アイドラギア１９００が画像記録手段１００の駆動を伝えるべく回転可能にかみ合っている。
【０２９４】
また、原稿端ギア２７５０には、原稿排紙アイドラギア２７４０が原稿読み取り手段２００の駆動を伝えるべく回転可能にかみ合っている。
【０２９５】
次に実際の動作を説明する。
【０２９６】
原稿が原稿読み取り手段２００にあり、原稿排紙動作の時には原稿排紙アイドラギア２７４０は破線の矢印方向に回転する。
【０２９７】
原稿排紙アイドラギア２７４０とかみ合ってる原稿排紙ギア２７５０も破線の矢印方向に回転し、ここで内包しているワンウェイクラッチ（不図示）の働きにより軸２７５２を介して排出ローラ２０７に駆動が伝達し、排出ローラ２０７は実線の矢印方向に回転する。
【０２９８】
このとき、排出ローラ２０７の軸上にある画像排紙ギア２７５１は、内包するワンウェイクラッチ（不図示）の働きによりすべりを生じ、排出ローラ２０７の軸からの駆動を受けることがない。
【０２９９】
このため、画像排紙ギア２７５１とつながっている画像記録手段１００の駆動系に、駆動が伝達することはなく、不都合は生じない。
【０３００】
次に、プリント用紙が画像記録手段１００にあり、プリント用紙排紙動作の時には画像排紙アイドラギア１９００は、一点鎖線の矢印方向に回転する。
【０３０１】
画像排紙アイドラギア１９００とかみ合っている画像排紙ギア２７５１も一点鎖線矢印方向に回転し、ここで内包しているワンウェイクラッチ（不図示）の働きにより軸２７５２を介して排出ローラ２０７に駆動が伝達し、排出ローラ２０７は実線の矢印方向に回転する。
【０３０２】
この時、排出ローラ２０７の軸上にある原稿排紙ギア２７５０は、内包するワンウェイクラッチ（不図示）の働きによりすべりを生じ、排出ローラ２０７軸からの駆動を受けることがない。
【０３０３】
このため原稿排紙ギア２７５０とつながっている原稿読み取り手段２００の駆動系に、駆動が伝達することはなく、不都合は生じない。
【０３０４】
以上、説明したように原稿読み取り手段２００からの駆動、あるいは画像記録手段１００からの駆動のどちらにおいても、常に排出ローラ２０７は排紙方向である実線の矢印方向に回転するため、排出ローラ２０７を共通化した搬送系が実現できる。
【０３０５】
本実施例装置は上記構成であるから、前述実施例２の装置と同様の効果を有している他に、排出ローラが一つになるので、コストダウンを図ることが可能である。排出ローラが一つになるので、装置の高さ方向のコンパクト化を図ることが可能である。排出ローラ２０７の軸２７５２上に、画像記録手段１００、原稿読み取り手段２００の各々に対応したギアを有することができるので、駆動系の設計における自由度が広がる。
【０３０６】
〈実施例１２〉（図３３・図３５・図３６）
本実施例の装置は、前述実施例１１の装置（図３３）において、画像記録手段１００と原稿読み取り手段２００との共通の排出ローラ２０７の軸２７５２には、駆動を伝達するための排出ローラギア５７５０を右端側に備えている。
【０３０７】
図３５は画像記録手段１００を稼働させた時の、排出ローラギア５７５０周辺を示す左側面図である。
【０３０８】
図３６は原稿読み取り手段２００を稼働させた時の、排出ローラギア５７５０周辺を示す左側面図である。
【０３０９】
画像記録手段１００を駆動するための図示しないメインモータ等の駆動源から、駆動力を排出ローラギア５７５０に伝達するための画像排紙アイドラギア５９００は、画像記録手段１００側にある画像排紙アイドラギア軸５９０１に回転可能に取付けられている。
【０３１０】
画像排紙遊星ギア５９０３は、画像排紙アイドラギア５９００と常にかみ合うように、画像排紙アイドラギア軸５９０１を中心として回動可能な平板形状の画像排紙アーム５９０２上に立てられた画像排紙遊星ギア軸５９０４に回転可能に取付けられている。
【０３１１】
さらに、画像排紙遊星ギア５９０３は、画像排紙アイドラギア５９００とかみ合い状態を維持しながら、画像排紙アーム５９０２により、画像排紙アイドラギア軸５９０１を中心に時計方向に回動可能となり、排出ローラギア５７５０とかみ合うようになっている。
【０３１２】
したがって、画像記録手段１００に対応した排出ローラ２０７の回転速度が得られる駆動系がこの画像排紙遊星ギア５９０３までで実現される。
【０３１３】
一方原稿読み取り手段２００を駆動するための図示しないメインモータ等の駆動源から、駆動力を排出ローラギア５７５０に伝達するための原稿排紙アイドラギア５７４０は、原稿読み取り手段２００側にある原稿排紙アイドラギア軸５７４１に回転可能に取付けられている。
【０３１４】
原稿排紙遊星ギア５７４３は、原稿排紙アイドラギア５７４０と常にかみ合うように、原稿排紙アイドラギア軸５７４１を中心として回動可能な平板形状の原稿排紙アーム５７４２上に立てられた原稿排紙遊星ギア軸５７４４に、回転可能に取付けられている。
【０３１５】
さらに、原稿排紙遊星ギア５７４３は、原稿排紙アイドラギア５７４０とかみ合い状態を維持しながら、原稿排紙アーム５７４２により、原稿排紙アイドラギア軸５７４１を中心に時計方向に回動可能となり、排出ローラギア５７５０とかみ合うようになっている。
【０３１６】
したがって、原稿読み取り手段２００に対応した排出ローラ２０７の回転速度が得られる駆動系がこの原稿排紙遊星ギア５７４３までで実現される。
【０３１７】
ここで、原稿排紙アイドラギア５７４０と原稿排紙アーム５７４２との対向部にある摩擦部材５７６０は、図示しないバネによって、原稿排紙アイドラ軸５７４１のスラスト方向に加圧されるように設けられている。
【０３１８】
したがって、原稿排紙アイドラギア５７４０のトルクは、原稿排紙アーム５７４２に伝わるようになっており、また過負荷の時はすべるようになっている。
【０３１９】
さらに、原稿排紙遊星ギア軸５７４４と画像排紙遊星ギア軸５９０４とは連絡アーム５９０５によってリンク機構を構成している。
【０３２０】
次に動作を説明する。
【０３２１】
原稿読み取り手段２００を稼働する時は次のとおりである。その時の様子を図３５に示す。
【０３２２】
まず、原稿読み取り手段２００からの駆動により原稿排紙アイドラギア５７４０は時計方向に回転する。
【０３２３】
原稿排紙遊星ギア５７４３は、原稿排紙アイドラギア５７４０の駆動を伝達されて反時計方向に回転しながら、原稿排紙アイドラギア軸５７４１を中心に原稿排紙アーム５７４２と摩擦材５７６０の摩擦により排出ローラギア５７５０にかみ合うまで時計方向に回動する。
【０３２４】
原稿排紙アーム５７４２による回動動作は、原稿排紙遊星ギア５７４３と排出ローラギア５７５０がかみ合うと、原稿排紙アーム５７４２と摩擦部材５７６０との間にすべりが生じるために止る。
【０３２５】
この時、画像排紙遊星ギア５９０３は、連結アーム５９０５によって、原稿排紙遊星ギア５７４３の動きに合わせて排出ローラギア５７５０とのかみ合いからはずれて、画像排紙遊星ギア軸５９０４を中心に画像排紙アーム５９０２によって反時計方向に回動する。
【０３２６】
この原稿排紙遊星ギア５９０３と排出ローラギア５７５０とのかみ合い動作が完了して、原稿読み取り手段２００の稼働の準備が終わったことになる。
【０３２７】
一旦、原稿読み取り手段２００の駆動を停止した後、再び駆動が再開され原稿読み取り手段２００の駆動により排出ローラギア５７５０は時計方向に回転し、排出ローラ２０７は、原稿読み取り手段２００に応じた回転速度で時計方向に回転していく。
【０３２８】
次に画像記録手段１００を稼働する時は次のとおりである。その時の様子は図３４に示す。
【０３２９】
まず、原稿読み取り手段１００からの駆動により原稿排紙アイドラギア５７４０は反時計方向に回転する。原稿排紙遊星ギア５７４３は、原稿排紙アイドラギア軸５７４１を中心に原稿排紙アーム５７４２と摩擦材５７６０との摩擦により反時計方向に回動し、排出ローラギア５７５０とのかみ合いから外れてさらに反時計方向に回動していく。
【０３３０】
原稿排紙遊星ギア軸５７４４と連結している連絡アーム５９０５のリンク機構により、画像排紙遊星ギア５９０３は、画像排紙アイドラギア５９０１を中心に時計方向に回動していき、排出ローラギア５７５０とかみ合うまで回動する。原稿排紙アーム５７４２による回動動作は、画像排紙遊星ギア５９０３と排出ローラギア５７５０がかみ合うと、原稿排紙アーム５７４２と摩擦部材５７６０との間にすべりが生じるために止る。
【０３３１】
この画像排紙遊星ギア５９０３と排出ローラギア５７５０とのかみ合い動作が完了して画像記録手段１００の稼働の準備が終わったことになる。
【０３３２】
一旦、原稿読み取り手段２００の駆動を停止した後、画像記録手段１００の駆動が開始され画像記録手段１００の駆動により、排出ローラギア５７５０は画像記録手段１００に応じた回転速度で時計方向に回転し、排出ローラ２０７は画像記録手段１００に応じた回転速度で時計方向に回転していく。
【０３３３】
本実施例装置は上記構成あるから、前述実施例２の装置と同様の効果を有している他に、排出ローラが一つになるので、コストダウンを図ることが可能である。排出ローラが一つになるので、装置の高さ方向のコンパクト化を図ることが可能である。排出ローラ２０７の軸２７５２上に、２つのワンウェイクラッチを内包したギアを使用する場合（実施例１１）に比べて、ギアトレインを一列にできるので装置の幅を小さくできる。
【０３３４】
なお、実施例１から実施例１２において、原稿トレイ２８０および原稿排出トレイ２１４について少なくとも一方の構成材料を透明材料とすれば、原稿あるいは排出原稿あるいは排出記録紙を一層視認しやすくなり、ユーザ操作性が一層向上する。また装置からの原稿トレイ２８０および原稿排出トレイ２１４の出っ張り感も、透明のため薄れ、デザイン的にも優れたものになる。
【０３３５】
【発明の効果】
以上のように本発明によれば、多機能画像形成装置、即ちコピー機能・スキャナ機能・プリンタ機能・ファクシミリ機能等の複数の機能を持つ、ファクシミリ装置、ファクシミリ機能付き複写機、ファクシミリ機能付きプリンタ等の画像形成装置について、記録紙順番性、原稿視認性、原稿順番性、前面操作性、コンパクト性のすべてに渡って優れている、つまりユーザ使い勝手が良くかつコンパクトな装置を構成することができる。
【図面の簡単な説明】
【図１】  実施例１の多機能画像形成装置の外観斜視図
【図２】  装置の左側カバーを外して電装系配設部を見せた斜視図
【図３】  装置の縦断側面図
【図４】  図３における原稿読み取り手段部分の拡大図
【図５】  原稿自動給紙モード時の実行動作フローチャート（その１）
【図６】  原稿自動給紙モード時の実行動作フローチャート（その２）
【図７】  原稿手差し給紙モード時の実行動作フローチャート（その１）
【図８】  原稿手差し給紙モード時の実行動作フローチャート（その２）
【図９】  装置制御系統のブロック図
【図１０】  原稿読み取り手段の下ユニットの概略斜視図
【図１１】  原稿読み取り手段の中ユニットの概略斜視図
【図１２】  原稿読み取り手段の中ユニットの部分的拡大図
【図１３】  （ａ）は回転原稿ガイド下の凹状段部分の一部の斜視図
（ｂ）は白色基準マイラと、これに接着させたＺ型板金の斜視図
【図１４】  原稿読み取り手段の上ユニットの概略斜視図
【図１５】  原稿読み取り手段の駆動系の斜視図（その１）
【図１６】  原稿読み取り手段の揺動板駆動系の斜視図（その２）
【図１７】  原稿読み取り手段の第１開放形態時の概略図
【図１８】  原稿読み取り手段の第２開放形態時の概略図
【図１９】  原稿読み取り手段の第３開放形態時の概略図
【図２０】  実施例２の多機能画像形成装置の開放状態時の概略図
【図２１】  実施例３の多機能画像形成装置の開放状態時の概略図
【図２２】  実施例４の多機能画像形成装置の概略図
【図２３】  装置開放状態時の概略図
【図２４】  上面カバー開閉ヒンジ部の右側ヒンジ部の斜視図
【図２５】  同ヒンジ部の平面図
【図２６】  実施例５の多機能画像形成装置の概略図
【図２７】  実施例６の多機能画像形成装置の概略図
【図２８】  装置の外観斜視図
【図２９】  実施例７の多機能画像形成装置の外観斜視図
【図３０】  実施例８の多機能画像形成装置の左右側カバーを外した状態
の斜視図
【図３１】  実施例９の多機能画像形成装置の概略図
【図３２】  実施例１０の多機能画像形成装置の概略図
【図３３】  実施例１１の多機能画像形成装置の概略図
【図３４】  原稿・記録紙兼用排出ローラの駆動機構の要部の斜視図
【図３５】  実施例１２の多機能画像形成装置における、画像記録手段
稼働時の原稿・記録紙兼用排出ローラの駆動機構の状態図
【図３６】  原稿読み取り手段稼働時の原稿・記録紙兼用排出ローラの駆動機構の状態図
【図３７】  従来の多機能画像形成装置の装置構成形態例（その１）の概略図
【図３８】  従来の多機能画像形成装置の装置構成形態例（その２）の概略図
【図３９】  従来の多機能画像形成装置の装置構成形態例（その３）の概略図
【符号の説明】
１００    画像記録手段
２００    原稿読み取り手段
ＰＣ    プロセスカートリッジ
１０１    感光体ドラム
１０３    レーザースキャナ
１１０    給紙カセット
１１７    定着器
１２５・１３１    記録紙排出部
２８０    原稿載置トレイ
２１４    原稿排出トレイ
【図１】
0003639614.tif 000003
【図２】
0003639614.tif 000004
【図３】
0003639614.tif 000005
【図４】
0003639614.tif 000006
【図５】
0003639614.tif 000007
【図６】
0003639614.tif 000008
【図７】
0003639614.tif 000009
【図８】
0003639614.tif 000010
【図９】
0003639614.tif 000011
【図１０】
0003639614.tif 000012
【図１１】
0003639614.tif 000013
【図１２】
0003639614.tif 000014
【図１３】
0003639614.tif 000015
【図１４】
0003639614.tif 000016
【図１５】
0003639614.tif 000017
【図１６】
0003639614.tif 000018
【図１７】
0003639614.tif 000019
【図１８】
0003639614.tif 000020
【図１９】
0003639614.tif 000021
【図２０】
0003639614.tif 000022
【図２１】
0003639614.tif 000023
【図２２】
0003639614.tif 000024
【図２３】
0003639614.tif 000025
【図２４】
0003639614.tif 000026
【図２５】
0003639614.tif 000027
【図２６】
0003639614.tif 000028
【図２７】
0003639614.tif 000029
【図２８】
0003639614.tif 000030
【図２９】
0003639614.tif 000031
【図３０】
0003639614.tif 000032
【図３１】
0003639614.tif 000033
【図３２】
0003639614.tif 000034
【図３３】
0003639614.tif 000035
【図３４】
0003639614.tif 000036
【図３５】
0003639614.tif 000037
【図３６】
0003639614.tif 000038
【図３７】
0003639614.tif 000039
【図３８】
0003639614.tif 000040
【図３９】
0003639614.tif 000041